(57)【要約】本発明は、モノのインターネットの分野、特に、モノのインターネットアプリケーションにおける低レイテンシ通信要件に適合するようなモノのインターネットの分野における通信リソーススケジューリング方法、装置、及びシステムに関する。モノのインターネットアプリケーションサーバが、サービス要件及びサービスシナリオに基づいて、端末上で協調無線リソーススケジューリングを開始することを決定するとき、モノのインターネットアプリケーションサーバは、協調無線リソーススケジューリングアクティブ化要求を無線トランシーバノードへ送信し、モノのインターネットアプリケーションサーバの要件に基づいて、端末上で協調無線リソーススケジューリングを実行するように無線トランシーバノードに要求し、要求を受信した後、無線トランシーバノードは、より高い優先度又はより高い効率で無線リソースを端末に割り当てる。端末が無線リソースを申請する必要がない場合、端末の無線通信レイテンシを低減し、特定のサービスシナリオにおける低レイテンシ通信要件を実現するように、無線トランシーバノードは、アクティブに無線リソースを端末に割り当てる。
2020526118.tif 000002
【特許請求の範囲】
【請求項１】
モノのインターネットアプリケーションサーバによって、端末上での協調無線リソーススケジューリングを開始することを決定するステップと、
前記モノのインターネットアプリケーションサーバによって、協調無線リソーススケジューリングアクティブ化要求を無線トランシーバノードに送信するステップであって、前記要求は、前記端末の識別子を含み、前記要求は、前記端末上での協調無線リソーススケジューリングを開始することを前記無線トランシーバノードに命令するために用いられる、ステップと
を含む、モノのインターネット通信リソーススケジューリング方法。
【請求項２】
前記モノのインターネットアプリケーションサーバによって、協調無線リソーススケジューリングアクティブ化要求を無線トランシーバノードに送信する前記ステップの後、前記方法は、
前記モノのインターネットアプリケーションサーバによって、前記端末上での協調無線リソーススケジューリングを停止することを決定するステップと、
前記モノのインターネットアプリケーションサーバによって、協調無線リソーススケジューリング非アクティブ化要求を前記無線トランシーバノードへ送信するステップであって、前記要求は、前記端末の前記識別子を含み、前記要求は、前記端末上での協調無線リソーススケジューリングを停止することを前記無線トランシーバノードに命令するために用いられる、ステップと
をさらに含む、
請求項１に記載の方法。
【請求項３】
前記協調無線リソーススケジューリングアクティブ化又は非アクティブ化要求は、ベアラ制御機能を用いることによって、前記無線トランシーバノードへ送信され、前記モノのインターネットアプリケーションサーバによって送信された前記協調無線リソーススケジューリングアクティブ化要求は、モノのインターネットサービスフローについての情報をさらに含み、前記モノのインターネットサービスフローは、前記端末と前記モノのインターネットアプリケーションサーバとの間のサービスフローである、
請求項１又は２に記載の方法。
【請求項４】
前記ベアラ制御機能は、ポリシー及び課金ルール機能、ポリシー制御機能、パケットデータゲートウェイ、及びセッション管理機能のうちいずれか１以上によって実装される、
請求項３に記載の方法。
【請求項５】
前記協調無線リソーススケジューリングアクティブ化又は非アクティブ化要求は、前記モノのインターネット制御機能を用いることによって、前記無線トランシーバノードへ送信される、
請求項１又は２に記載の方法。
【請求項６】
前記モノのインターネットアプリケーションサーバによって送信された前記協調無線リソーススケジューリングアクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間、又はアップリンクパケット時点のうち１以上の情報をさらに含み、前記モノのインターネットサービス識別子は、前記モノのインターネットアプリケーションサーバによって提供されるモノのインターネットサービスの識別子である、
請求項１〜５のいずれか１項に記載の方法。
【請求項７】
モノのインターネットアプリケーションサーバによって、端末上での協調無線リソーススケジューリングを開始することを決定する前記ステップは、
前記モノのインターネットアプリケーションサーバによって、少なくとも前記端末によって報告されたデータに基づいて、前記端末上での協調無線リソーススケジューリングを開始することを決定するステップを含む、
請求項１〜６のいずれか１項に記載の方法。
【請求項８】
無線トランシーバノードによって、協調無線リソーススケジューリングアクティブ化要求を受信するステップであって、前記要求は、端末の識別子を含む、ステップと、
前記無線トランシーバノードによって、前記要求に基づいて、前記端末に対して無線リソースをアクティブに許可するステップと
を含む、モノのインターネット通信リソーススケジューリング方法。
【請求項９】
無線トランシーバノードによって、協調無線リソーススケジューリングアクティベーション要求を受信する前記ステップの後、前記方法は、
前記無線トランシーバノードによって、協調無線リソーススケジューリング非アクティブ化要求を受信するステップであって、前記要求は、前記端末の前記識別子を含む、ステップと、
前記無線トランシーバノードによって、前記端末に対して前記無線リソースをアクティブに許可することを停止するステップと
をさらに含む、
請求項８に記載の方法。
【請求項１０】
前記無線トランシーバノードによって、協調無線リソーススケジューリングアクティブ化又は非アクティブ化要求を受信する前記ステップは、
前記無線トランシーバノードによって、パケットデータゲートウェイ又は協調無線リソーススケジューリング決定機能によって送信された前記協調無線リソーススケジューリングアクティブ化又は非アクティブ化要求を受信するステップであって、前記協調無線リソーススケジューリング決定機能は、モビリティ管理エンティティ、或いは、アクセス及びモビリティ機能によって実装される、ステップを含む、
請求項８又は９に記載の方法。
【請求項１１】
前記協調無線リソーススケジューリングアクティブ化又は非アクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間、又はアップリンクパケット時点のうち１以上の情報をさらに含む、
請求項８〜１０のいずれか１項に記載の方法。
【請求項１２】
前記無線トランシーバノードによって、協調無線リソーススケジューリングアクティブ化又は非アクティブ化要求を受信する前記ステップの後、前記方法は、
前記無線トランシーバノードによって、前記協調無線リソーススケジューリングアクティブ化又は非アクティブ化要求を前記端末に転送するステップをさらに含む、
請求項８〜１１のいずれか１項に記載の方法。
【請求項１３】
端末によって、協調無線リソーススケジューリングアクティブ化要求を受信するステップであって、前記要求は、モノのインターネットサービス識別子又はベアラ識別子を含む、ステップと、
前記端末によって、無線トランシーバノードによって送信された無線リソース許可メッセージを受信するステップと、
前記端末によって、許可された無線リソースを用いることによって、前記モノのインターネットサービス識別子又は前記ベアラ識別子に対応するサービスデータを送信するステップと
を含む、モノのインターネット通信リソーススケジューリング方法。
【請求項１４】
前記協調無線リソーススケジューリングアクティブ化要求は、協調無線リソーススケジューリングアップリンクパケットサイズ、及び、協調無線リソーススケジューリングアップリンクパケット期間又はアップリンクパケット時点のうち１以上の情報をさらに含む、
請求項１３に記載の方法。
【請求項１５】
前記協調無線リソーススケジューリングアクティブ化要求が、前記無線リソーススケジューリングアップリンクパケットサイズを含むとき、前記端末によって送信される単一のアップリンクパケットサイズは、前記協調無線リソーススケジューリングアップリンクパケットサイズを超えない、
請求項１４に記載の方法。
【請求項１６】
前記無線リソーススケジューリングアクティブ化要求が、前記協調無線リソーススケジューリングアップリンクパケット期間又はアップリンクパケット時点を含むとき、前記端末は、前記許可された無線リソースを用いることによって、前記アップリンクパケット期間又は前記アップリンクパケット時点に基づいて、データを報告する、
請求項１４に記載の方法。
【請求項１７】
モノのインターネット通信リソーススケジューリングを実装するためのモノのインターネットアプリケーションサーバであって、通信インターフェース、メモリ、及びプロセッサを備え、前記通信インターフェースは、メッセージを受信又は送信するように構成され、前記プロセッサは、バスを用いることによって前記メモリ及び前記通信インターフェースに接続され、前記プロセッサは、請求項１〜７のいずれか１項に記載の前記方法における前記モノのインターネットアプリケーションサーバの機能を完備するために、前記メモリに格納されたコンピュータ実行可能命令を実行する、
モノのインターネットアプリケーションサーバ。
【請求項１８】
モノのインターネット通信リソーススケジューリングを実装するための無線トランシーバノードであって、無線トランシーバ、プロセッサ、メモリ、及び通信モジュールを備え、前記通信モジュールは、協調無線リソーススケジューリングアクティブ化要求を受信するように構成され、前記要求は、端末の識別子を含み、
前記プロセッサは、前記メモリに格納されたコンピュータ実行可能命令に基づいて、前記協調無線リソーススケジューリングアクティブ化要求を解析し、前記端末の前記識別子を取得し、前記端末に対して無線リソースをアクティブに割り当て、無線リソースを許可するために用いられるメッセージを作成するように構成され、
前記無線トランシーバは、前記プロセッサによって作成され且つ前記無線リソースを許可するために用いられる前記メッセージを前記端末に送信するように構成される、
無線トランシーバノード。
【請求項１９】
前記通信モジュールは、協調無線リソーススケジューリング非アクティブ化要求を受信するようにさらに構成され、前記要求は、前記端末の前記識別子を含み、
前記プロセッサは、前記メモリに格納された前記コンピュータ実行可能命令に基づいて、前記協調無線リソーススケジューリング非アクティブ化要求を解析し、前記端末の前記識別子を取得し、前記端末に対して無線リソースをアクティブに割り当てることを停止するようにさらに構成される、
請求項１８に記載の無線トランシーバノード。
【請求項２０】
前記通信モジュールによって受信される前記協調無線リソーススケジューリングアクティブ化又は非アクティブ化要求は、パケットデータゲートウェイ又は協調無線リソーススケジューリング決定機能からのものであり、前記協調無線リソーススケジューリング決定機能は、モビリティ管理エンティティ、或いは、アクセス及びモビリティ機能によって実装される、
請求項１８又は１９に記載の無線トランシーバノード。
【請求項２１】
前記通信モジュールによって受信される前記協調無線リソーススケジューリングアクティブ化又は非アクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間又はアップリンクパケット時点のうち１以上の情報をさらに含む、
請求項１８〜２０のいずれか１項に記載の無線トランシーバノード。
【請求項２２】
前記プロセッサは、前記無線トランシーバモジュールを用いることによって、前記通信モジュールによって受信された前記協調無線リソーススケジューリングアクティブ化又は非アクティブ化要求を前記端末に転送するようにさらに構成される、
請求項１８〜２１のいずれか１項に記載の無線トランシーバノード。
【請求項２３】
モノのインターネット通信リソーススケジューリングを実装するための端末であって、通信インターフェース、メモリ、及びプロセッサを備え、前記通信インターフェースは、メッセージを受信又は送信するように構成され、前記プロセッサは、バスを用いることによって、前記メモリ及び前記通信インターフェースに接続され、前記プロセッサは、請求項１３〜１６のいずれか１項に記載の前記方法における前記端末の機能を完備するために、前記メモリに格納されたコンピュータ実行可能命令を実行する、
端末。
【請求項２４】
命令を含むコンピュータ可読記録媒体であって、前記命令がコンピュータ上で実行されるとき、前記コンピュータが、請求項１〜１６のいずれか１項に記載の前記方法を実行することが可能になる、
コンピュータ可読記録媒体。
【請求項２５】
請求項１７に記載の前記モノのインターネットアプリケーションサーバと、請求項１８〜２２のいずれか１項に記載の前記無線トランシーバノードとを含む、
モノのインターネット通信リソーススケジューリングシステム。
【請求項２６】
請求項２３に記載の前記端末をさらに含む、
請求項２５に記載のシステム。
【発明の詳細な説明】
【技術分野】
【０００１】
この出願は、それの全体が参照により本明細書に組み込まれる、２０１７年６月２７日に中国国家知識産権局で出願された「ＣＯＭＭＵＮＩＣＡＴＩＯＮ  ＲＥＳＯＵＲＣＥ  ＳＣＨＥＤＵＬＩＮＧ  ＭＥＴＨＯＤ，  ＡＰＰＡＲＡＴＵＳ，  ＡＮＤ  ＳＹＳＴＥＭ」と題する中国特許出願第２０１７１０５０１０２９．１号の優先権を主張する。
【０００２】
本発明は、モノのインターネットの分野に関し、詳細には、モノのインターネットの分野における通信リソーススケジューリング方法、装置、及びシステムに関する。
【背景技術】
【０００３】
モノのインターネット（ｉｎｔｅｒｎｅｔ  ｏｆ  ｔｈｉｎｇｓ）技術の発展とともに、モノのインターネット技術は、スマートホーム、インテリジェント交通、産業用制御、及び遠隔医療など、複数の産業において適用されて普及している。特定の産業におけるいくつかのモノのインターネットアプリケーションでは、アプリケーションシナリオの特徴及びアプリケーション要件により、通信レイテンシがセンシティブである。例えば、ビークルツーエブリシング（ｖｅｈｉｃｌｅ  ｔｏ  ｅｖｅｒｙｔｈｉｎｇ、Ｖ２Ｘ）、具体的には、車両が全てのモノと通信するモノのインターネットでは、車両は、Ｖ２Ｘ技術を使用することによって、運転者の現在の視覚範囲の外側の車両又は歩行者情報を知覚して、潜在的衝突を回避し得る。車両間の運転意図送信がさらに実装されることがあり、具体的には、車両は、別の車両の運転意図を受信し、センサデータを共有することがあり、従って、事前に緊急措置が取られて危険の発生が回避される。別の例では、産業用のモノのインターネット（ｉｎｄｕｓｔｒｙ  ｉｎｔｅｒｎｅｔ  ｏｆ  ｔｈｉｎｇｓ、ＩＩｏＴ）アプリケーションでは、極端な又は異常な事例において、産業用デバイスは、システムの通常動作を維持するために、ＩＩｏＴアプリケーションサーバ又は別の産業用デバイスにデータに送信する必要がある。全ての上記のモノのインターネットアプリケーションシナリオは低レイテンシ通信要件を有する。例えば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）において策定されたＴＳ  ２２．１８５仕様書では、Ｖ２Ｘ通信の緊急事例における最大レイテンシは２０ミリ秒（ｍｉｌｌｉｓｅｃｏｎｄ、ｍｓ）であることが明確に提案されている。
【０００４】
しかし、現在のワイヤレス通信技術は、モノのインターネットアプリケーションにおいて低レイテンシ通信要件を満たすことができない。例えば、３ＧＰＰにおいて策定されたセルラー技術に基づくＶ２Ｘワイヤレス通信技術では、ユーザ機器（ｕｓｅｒ  ｅｑｕｉｐｍｅｎｔ、ＵＥ）又は車両とパケットデータネットワークゲートウェイ（ｐａｃｋｅｔ  ｄａｔａ  ｎｅｔｗｏｒｋ  ｇａｔｅｗａｙ  Ｐ−ＧＷ）との間のレイテンシは５０ｍｓに設定され、緊急時に車両のＶ２Ｘ通信の無線リソーススケジューリングレイテンシ要件を満たすことができない。
【発明の概要】
【０００５】
この出願は、モノのインターネットアプリケーションにおける低レイテンシ通信要件を満たすような通信リソーススケジューリング方法、装置、及びシステムを提供する。
【０００６】
第１の態様によれば、この出願は、通信リソーススケジューリング方法、具体的には、モノのインターネットアプリケーションサーバが無線トランシーバノードと協働して端末上で無線リソーススケジューリングを実施する方法を提供する。モノのインターネットアプリケーションサーバが、サービス要件及びサービスシナリオに基づいて、端末上で協調無線リソーススケジューリングを開始することを決定したとき、モノのインターネットアプリケーションサーバは、無線トランシーバノードに協調無線リソーススケジューリングアクティブ化要求を送信し、要求は、特定の端末の識別子を搬送して、同意された方式又は要求メッセージ中で搬送される情報に基づいて端末上で協調無線リソーススケジューリングを実施することを無線トランシーバノードに要求し、要求を受信した後、無線トランシーバノードは、より高い優先度又はより高い効率で端末に無線リソースを割り当てる。端末が無線リソースを申請する必要がない場合、無線トランシーバノードは、特定のサービスシナリオにおいて端末の無線通信レイテンシを低減し、低レイテンシ通信要件を実装するように、端末に無線リソースをアクティブに割り当てる。通信リソーススケジューリング方法は、特定の産業アプリケーションに限定されず、産業用のモノのインターネット、ビークルツーエブリシング、及び遠隔医療など、レイテンシに比較的センシティブであるモノのインターネット産業アプリケーションに広く適用され得る。また、様々な産業におけるアプリケーションシナリオは異なるので、レイテンシ要件は異なり、協調無線リソーススケジューリングを必要とする決定ルール及びアルゴリズムは異なり、モノのインターネットアプリケーションサーバによって協調無線リソーススケジューリングを開始するためのトリガ条件及び決定ルールはこの出願において限定されない。
【０００７】
可能な実施形態では、モノのインターネットアプリケーションサーバが、端末のために協調無線リソーススケジューリングがもはや特に必要とされないと決定したとき、モノのインターネットアプリケーションサーバは、無線トランシーバノードに協調無線リソーススケジューリング非アクティブ化要求を送信して、不当な又はバランスのとれていない無線リソース割り当てを回避するために端末上で協調無線リソーススケジューリングを実施することを停止することを無線トランシーバノードに要求する。
【０００８】
協調無線リソーススケジューリングアクティブ化又は非アクティブ化メッセージの転送経路は、この出願では限定されない。メッセージは、通信ネットワーク中のモノのインターネット制御機能及び任意の１つ又は複数の機能エンティティを使用することによって転送され得る。
【０００９】
可能な実施形態では、無線トランシーバノード又は端末が、協調無線リソーススケジューリングに関係するモノのインターネットサービスを知覚することを可能にするために、モノのインターネットアプリケーションサーバは、端末とモノのインターネットサーバとの間のサービスフロー情報を協調無線リソーススケジューリングアクティブ化又は非アクティブ化メッセージにさらに追加し、サービスフロー情報を搬送する無線リソースアクティブ化又は非アクティブ化メッセージを、ポリシー及び課金ルール機能、ポリシー制御機能、パケットデータゲートウェイ、並びにセッション管理機能のうちいずれか１以上の機能エンティティのような、ベアラ制御機能を有する通信ネットワークエンティティに送信し得る。ベアラ制御機能エンティティは、モノのインターネットサービスフローに関する情報に対応するサービスベアラ識別子を決定し、サービスベアラ識別子を、無線トランシーバノードに転送される協調無線リソーススケジューリングアクティブ化又は非アクティブ化メッセージに追加する。
【００１０】
別の可能な実施形態では、頻度又は回数を制御することなど、モノのインターネットサーバによって開始される協調無線リソーススケジューリングを制御するため、及び比較的公正でバランスのとれた無線リソースが全ての端末に提供されることを保証するため、端末ユーザが、低レイテンシ無線通信を保証し、サービス体験を改善する必要がある場合、端末ユーザは、特定のサービス又はＡＰＮのために協調無線リソーススケジューリングに同意する必要がある。それに応じて、協調無線リソーススケジューリング決定機能エンティティが、ユーザサブスクリプションデータ中で協調無線リソーススケジューリングがサポートされることをクエリするとき、協調無線リソーススケジューリング決定機能エンティティが協調無線リソーススケジューリング又は非アクティブ化メッセージを無線トランシーバノードに転送するように、協調無線リソーススケジューリングアクティブ化又は非アクティブ化メッセージは、協調無線リソーススケジューリング決定機能エンティティによって転送される必要がある。
【００１１】
無線トランシーバノードが、特定の端末上で協調無線リソーススケジューリングをより良く実施することを可能にするために、モノのインターネットアプリケーションサーバは、協調無線リソーススケジューリングアクティブ化要求に、協調無線リソーススケジューリングレイテンシ要件、協調無線リソーススケジューリングアップリンクパケットサイズ、及び協調無線リソーススケジューリングアップリンクパケット期間又はアップリンクパケット時点のうち１以上の情報をさらに追加し得る。無線トランシーバノードは、協調無線リソーススケジューリングレイテンシ要件に基づいて各端末のスケジューリング優先度を調整し得るし、協調無線リソーススケジューリングアップリンクパケットサイズに基づいて、特定の端末に、サービス要件を満たす無線リソースを割り当てて、無線リソースの浪費を回避し得るし、協調無線リソーススケジューリングアップリンクパケット期間又はアップリンクパケット時点に基づいて、端末がデータを報告する必要がある時点において端末に無線リソースを割り当て得る。これは無線リソース利用効率を改善する。
【００１２】
可能な実施形態では、無線トランシーバノードは、協調無線リソーススケジューリングアクティブ化又は非アクティブ化要求を端末にさらに転送して、通信効率を改善し得る。端末は、協調無線リソーススケジューリングアクティブ化又は非アクティブ化要求中のモノのインターネットサービスの識別子に基づいてモノのインターネットサービスのデータを優先的に送信し得る。端末は、協調無線リソーススケジューリングアップリンクパケットサイズに基づいて、送信される必要があるモノのインターネットサービスパケットのサイズ、アップリンクパケットサイズを調整して、無線トランシーバノードによって割り当てられた無線リソースが、端末によって送信されるべきアップリンクパケットのサイズに一致しないときにもたらされる通信効率及び通信レイテンシ問題、例えば、無線トランシーバノードによって割り当てられた無線リソースが、端末によって送信されるべきアップリンクパケットのサイズよりも大きいときに引き起こされる無線リソース浪費問題、及び別の例では、無線トランシーバノードによって割り当てられた無線リソースが、端末によって送信されるべきアップリンクパケットのサイズよりも小さいときに無線リソースが複数回割り当てられる必要があることによって引き起こされる送信効率低減問題を回避し得る。また、協調無線リソーススケジューリングアップリンクパケット期間又はアップリンクパケット時点が端末に送信されることにより、無線トランシーバノード及び端末が無線リソースを割り当てて使用する速度が調整され得る。これは無線リソース利用及び通信効率を改善する。
【００１３】
第２の態様によれば、この出願は、第１の態様による方法におけるモノのインターネットアプリケーションサーバの機能、無線トランシーバノードの機能、又は端末の機能を実装するための装置を提供する。モノのインターネットアプリケーションサーバの機能、無線トランシーバノードの機能、又は端末の機能は、ハードウェアによって実装され得るか、又は対応するソフトウェアを実行することによってハードウェアによって実装され得る。ハードウェア又はソフトウェアは、機能に対応する１つ又は複数のモジュールを含む。
【００１４】
第３の態様によれば、この出願は、第１の態様による方法におけるモノのインターネット制御機能、ベアラ制御機能、又は協調無線リソーススケジューリング決定機能を実装するための装置を提供する。これらの機能は、ハードウェアによって実装され得るか、又は対応するソフトウェアを実行するハードウェアによって実装され得る。ハードウェア又はソフトウェアは、機能に対応する１つ又は複数のモジュールを含む。
【００１５】
第４の態様によれば、この出願はコンピュータ可読記憶媒体を提供する。コンピュータ可読記憶媒体は命令を格納する。命令がコンピュータ上で実行されたとき、コンピュータは、第１の態様による方法を実施することが可能になる。
【００１６】
第５の態様によれば、この出願は、命令を含むコンピュータプログラム製品を提供する。コンピュータプログラム製品がコンピュータ上で実行されたとき、コンピュータは、態様による方法を実施することが可能になる。
【００１７】
第６の態様によれば、この出願は、通信リソーススケジューリングを実施するためのシステムを提供し、システムは、上で説明されたモノのインターネットアプリケーションサーバ及び無線トランシーバノードを少なくとも含む。また、システムは、端末、モノのインターネット制御機能、ベアラ制御機能、及び協調無線リソーススケジューリング決定機能のうち１以上をさらに含み得る。
【図面の簡単な説明】
【００１８】
【図１】本発明の実施形態によるシステムアーキテクチャの概略図である。
【図１ａ】本発明の実施形態による別のシステムアーキテクチャの概略図である。
【図１ｂ】本発明の実施形態によるさらに別のシステムアーキテクチャの概略図である。
【図２】本発明の実施形態による４Ｇ通信ネットワークにおけるシステムアーキテクチャの概略図である。
【図３】本発明の実施形態による５Ｇ通信ネットワークにおけるシステムアーキテクチャの概略図である。
【図４】本発明の実施形態による無線リソーススケジューリングの概略図である。
【図５】本発明の実施形態による別の無線リソーススケジューリングの概略図である。
【図６】本発明の実施形態による本発明の解決策概念方法の概略フローチャートである。
【図７】本発明の実施形態による協調無線リソーススケジューリングの概略図である。
【図８】本発明の実施形態による別の協調無線リソーススケジューリングの概略図である。
【図９】本発明の実施形態による協調無線リソーススケジューリング情報を含むユーザサブスクリプションデータの概略図である。
【図１０】本発明の実施形態による協調無線リソーススケジューリング方法の概略フローチャートである。
【図１１】本発明の実施形態による別の協調無線リソーススケジューリング方法の概略フローチャートである。
【図１２】本発明の実施形態によるさらに別の協調無線リソーススケジューリング方法の概略フローチャートである。
【図１３】本発明の実施形態による４Ｇ通信ネットワークにおける協調無線リソーススケジューリング方法の概略フローチャートである。
【図１４】本発明の実施形態による４Ｇ通信ネットワークにおける別の協調無線リソーススケジューリング方法の概略フローチャートである。
【図１５】本発明の実施形態による４Ｇネットワークにおける協調無線リソーススケジューリングサブスクリプション取得方法の概略フローチャートである。
【図１６】本発明の実施形態による４Ｇネットワークにおける別の協調無線リソーススケジューリングサブスクリプション取得方法の概略フローチャートである。
【図１７】本発明の実施形態による５Ｇ通信ネットワークにおける協調無線リソーススケジューリング方法の概略フローチャートである。
【図１８】本発明の実施形態によるコンピュータデバイスの概略図である。
【図１９】本発明の実施形態によるモノのインターネットアプリケーションサーバの機能モジュールの概略図である。
【図２０】本発明の実施形態による無線トランシーバノードの機能モジュールの概略図である。
【図２１】本発明の実施形態による端末の機能モジュールの概略図である。
【図２１ａ】本発明の実施形態による車両の機能モジュールの概略図である。
【図２２】本発明の実施形態による協調無線リソーススケジューリング決定機能モジュールの概略図である。
【図２３】本発明の実施形態によるベアラ制御機能モジュールの概略図である。
【発明を実施するための形態】
【００１９】
以下で、本発明の実施形態における添付の図面を参照しながら、本発明の実施形態における技術的解決策について説明する。
【００２０】
この出願において提供される技術的解決策は、図１に示されるモノのインターネットシステムアーキテクチャに基づく。図１に示されるモノのインターネットシステムは、モノのインターネットアプリケーションサーバ（ＩｏＴ  Ａｐｐｌｉｃａｔｉｏｎ  Ｓｅｒｖｅｒ、ＩｏＴ  ＡＳ）１０１、通信ネットワーク１０２、及びモノのインターネット端末１０４を少なくとも含む。通信ネットワーク１０２は、無線トランシーバノード１０３を少なくとも含む。モノのインターネットアプリケーションサーバ１０１は、通信ネットワーク１０４によって提供されるワイヤレス及びワイヤード通信リソースを使用することによって、例えば、端末１０４によって報告されるデータを受信すること、端末１０４に制御コマンドを送信することなどによって端末１０４と通信する。任意選択で、モノのインターネットシステムは、モノのインターネットプラットフォーム１０５をさらに含む。モノのインターネットプラットフォーム１０５は、モノのインターネット端末１０４の接続及び管理機能を少なくとも含む。モノのインターネットプラットフォーム１０５はモノのインターネット接続管理機能と呼ばれることもある。モノのインターネットプラットフォーム１０５は、通信ネットワーク１０２を使用することによって端末１０４と通信する。例えば、モノのインターネットプラットフォーム１０５は、通信ネットワーク１０２を使用することによって、端末によって報告される受信データをＩｏＴ  ＡＳ１０１に送信し得るし、又はＩｏＴ  ＡＳ１０１によって送信された受信制御コマンドを端末１０４に送信し得る。また、２つ以上の端末が、通信ネットワークを使用することによって互いに通信し得る。例えば、２つの端末は、無線トランシーバノードを使用することによってメッセージを交換し、これら２つの端末間で交換されるメッセージは、モノのインターネットアプリケーションサーバを使用することによって転送される必要がない。モノのインターネットアーキテクチャでは、端末１０４は、通信機能を有するユーザ機器と見なされることもあることに留意されたい。従って、端末はユーザ機器（ｕｓｅｒ  ｅｑｕｉｐｍｅｎｔ、ＵＥ）と呼ばれることもある。
【００２１】
この出願において提供される技術的解決策及び図１に示されるシステムアーキテクチャは、インテリジェント交通及び産業用インターネットなど、複数の産業アプリケーションに適用可能であり得る。図１ａ及び図１ｂはそれぞれ、この出願において提供される技術的解決策が産業用インターネット及びビークルツーエブリシングに適用されるシステムアーキテクチャ図である。産業用インターネットアプリケーションサーバ１０１−ａ及びビークルツーエブリシングアプリケーションサーバ（Ｖ２Ｘ  Ａｐｐｌｉｃａｔｉｏｎ  Ｓｅｒｖｅｒ、Ｖ２Ｘ  ＡＳ）１０１−ｂは、異なるアプリケーションシナリオにおける図１のモノのインターネットアプリケーションサーバ１０１の可能な形態である。産業用インターネットプラットフォーム１０５−ａ及びビークルツーエブリシング制御機能（Ｖ２Ｘ  Ｃｏｎｔｒｏｌ  Ｆｕｎｃｔｉｏｎ、ＶＣＦ）１０５−ｂは、異なるアプリケーションシナリオにおける図１のモノのインターネットプラットフォーム１０５の可能な形態である。産業用デバイス１０４−ａ及び車両１０４−ｂは、異なるアプリケーションシナリオにおける図１の端末１０４の可能な形態である。当業者がこの出願において提供される技術的解決策を理解するのをより容易にするために、この出願の以下の実施形態は、この出願において提供される技術的解決策について説明するための例としてビークルツーエブリシングにおけるアプリケーションシナリオを使用する。この出願において提供される技術的解決策が特定の産業アプリケーションを限定しないことは理解され得る。異なる産業アプリケーションではモノのインターネットアプリケーションサーバ及び端末の名前又は形態は異なるが、図１に示されるモノのインターネットアーキテクチャに基づくモノのインターネットシステムは、この出願の実施形態で説明される技術的解決策を使用して、端末上で通信リソーススケジューリングを実装し得る。
【００２２】
以下で、ビークルツーエブリシングが特定のシナリオに適用される例を使用することによって、この出願において提供される技術的解決策についてさらに説明する。
【００２３】
図１ｂに示されるビークルツーエブリシングシステムでは、ビークルツーエブリシングアプリケーションサーバ１０１−ｂは、通信ネットワーク１０４によって提供されるワイヤレス及びワイヤード通信リソースを使用することによって、例えば、車両によって報告される車両運転環境データ、運転挙動データ、及び車両走行データなどの情報を受信すること、並びに運転支援情報、警告情報などを車両１０４−ｂに送信することによって、車両１０４−ｂと通信する。車両１０４−ｂは、センサデバイス及び車両通信ユニットを含む。センサデバイスは、車両の速度、位置、運転環境、及び挙動などの情報を収集し得るし、車両は、車両通信ユニットを使用することによってデータを受信し及び送信し得る。
【００２４】
図１ｂに示されるシステムアーキテクチャに基づいて、図２及び図３は、本発明の実施形態におけるシステムアーキテクチャを実装するための２つの異なるタイプの通信ネットワークをさらに提供する。当業者は、通信ネットワークのタイプがこの出願では限定されないことを理解し得る。
【００２５】
図２は、この出願による、３ＧＰＰ規格団体によって定義された４Ｇ通信ネットワークに基づくビークルツーエブリシングシステムアーキテクチャである。図１から図１ｂの通信ネットワーク１０２は、図２では、ホームサブスクライバサーバ（ｈｏｍｅ  ｓｕｂｓｃｒｉｂｅｒ  ｓｅｒｖｅｒ、ＨＳＳ）、ポリシー及び課金ルール機能（ｐｏｌｉｃｙ  ａｎｄ  ｃｈａｒｇｉｎｇ  ｒｕｌｅｓ  ｆｕｎｃｔｉｏｎ、ＰＣＲＦ）、モビリティ管理エンティティ（ｍｏｂｉｌｉｔｙ  ｍａｎａｇｅｍｅｎｔ  ｅｎｔｉｔｙ、ＭＭＥ）、セッション／パケットデータネットワークゲートウェイ（ｓｅｓｓｉｏｎ／ｐａｃｋｅｔ  ｄａｔａ  ｎｅｔｗｏｒｋ−ｇａｔｅｗａｙ、Ｓ／Ｐ−ＧＷ）、発展型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）、サービス能力エクスポージャ機能（Ｓｅｒｖｉｃｅ  Ｃａｐａｂｉｌｉｔｙ  Ｅｘｐｏｓｕｒｅ  Ｆｕｎｃｔｉｏｎ、ＳＣＥＦ）などのデバイス、エンティティ、又はネットワークを含む、４Ｇ通信ネットワーク２０２としてインスタンス化され、発展型ユニバーサル地上波無線アクセスネットワーク２０３は発展型ノードＢ（ｅｖｏｌｖｅｄ  ＮｏｄｅＢ、ｅＮｏｄｅＢ）を含み、ｅノードＢは、図１から図１ｂの無線トランシーバノード１０３の実施形態である。
【００２６】
図３は、この出願による、３ＧＰＰ規格団体によって定義された５Ｇ通信ネットワークに基づくビークルツーエブリシングシステムアーキテクチャである。図１から図１ｂの通信ネットワーク１０２は、図３では、ポリシー制御機能（ｐｏｌｉｃｙ  ｃｏｎｔｒｏｌ  ｆｕｎｃｔｉｏｎ、ＰＣＦ）、セッション管理機能（ｓｅｓｓｉｏｎ  ｍａｎａｇｅｍｅｎｔ  ｆｕｎｃｔｉｏｎ、ＳＭＦ）、アクセス及びモビリティ機能（ａｃｃｅｓｓ  ａｎｄ  ｍｏｂｉｌｉｔｙ  ｆｕｎｃｔｉｏｎ、ＡＭＦ）、ユーザプレーン機能（ｕｓｅｒ  ｐｌａｎｅ  ｆｕｎｃｔｉｏｎ、ＵＰＦ）、ユーザデータ管理（ｕｓｅｒ  ｄａｔａ  ｍａｎａｇｅｍｅｎｔ、ＵＤＭ）、無線アクセスネットワーク（ｒａｄｉｏ  ａｃｃｅｓｓ  ｎｅｔｗｏｒｋ、ＲＡＮ）、並びにネットワークエクスポージャ機能（Ｎｅｔｗｏｒｋ  Ｅｘｐｏｓｕｒｅ  Ｆｕｎｃｔｉｏｎ、ＮＥＦ）などの論理機能、デバイス、エンティティ、又はネットワークを含む、５Ｇ通信ネットワーク３０２としてインスタンス化される。ＲＡＮ３０３は、５Ｇアクセスをサポートする無線トランシーバノードを含む。
【００２７】
図１ｂから図３に示されるビークルツーエブリシングシステムのアーキテクチャから、車両とビークルツーエブリシングアプリケーションサーバとの間の、又は車両間の通信は、通信ネットワークを使用することによって実施されることが分かりうる。通信ネットワークのタイプ及びアーキテクチャにかかわらず、どのようにビークルツーエブリシングアプリケーションのメッセージ又はデータが通信ネットワーク中で転送されるかにかかわらず、何らかの車両によって送信されるメッセージが別の車両又はビークルツーエブリシングアプリケーションサーバに配信される必要があるとき、車両と無線トランシーバノードとの間の通信は、本質的な通信経路である。従って、車両と無線トランシーバノードとの間の通信レイテンシが低減される限りは、車両とビークルツーエブリシングアプリケーションサーバとの間の、又は車両間の通信レイテンシは低減されて、緊急事態におけるビークルツーエブリシングサービスのレイテンシ要件が満たされることが可能である。この出願における「緊急」という用語は、特定の産業アプリケーションにおいて低レイテンシ又は高速応答が必要とされるシナリオを概して指し、３０ｍｓ又は２０ｍｓ又は１０ｍｓ又は５ｍｓなど、緊急度におけるレイテンシについての特定の技術的要件は、特定のサービスシナリオ及び通信ネットワーク能力に依存することに留意されたい。これはこの出願では限定されない。
【００２８】
従来技術では、通信ネットワークを使用することによってビークルツーエブリシングアプリケーションサーバにデータを報告するか又は別の車両にデータを送信するために、車両は、最初に、アップリンクチャネルを使用することによって無線トランシーバノードにエアインターフェースリソースを要求する必要があり、次いで、無線トランシーバノードは、ダウンリンクチャネルを使用することによって車両に、車両によって使用されることを許可されたエアインターフェースリソースを配信し、従って、車両は、許可されたエアインターフェースリソースを使用することによってデータを送信することができる。車両によって報告されるべきデータボリュームが比較的大きい場合、無線トランシーバノードは、車両にエアインターフェースリソースを複数回割り当てる必要がある。図４では、従来技術における車両と無線トランシーバノードとの間の通信レイテンシを解析するための例として４Ｇ時分割複信ロングタームエボリューション（Ｔｉｍｅ  Ｄｉｖｉｓｉｏｎ  Ｄｕｐｌｅｘｉｎｇ  Ｌｏｎｇ  Ｔｅｒｍ  Ｅｖｏｌｕｔｉｏｎ、ＴＤＤ−ＬＴＥ）技術が使用される。
【００２９】
図４では、ｅノードＢ側での時間軸は複数のサブフレーム（ｓｕｂｆｒａｍｅ）に細分化され、各サブフレームの時間長は１ｍｓである。Ｄ、Ｓ、及びＵという、３つのタイプのサブフレームがあり、Ｄタイプサブフレームは、４０１に示されるように、ダウンリンク（ｄｏｗｎｌｉｎｋ）サブフレームを表し、ｅノードＢは、ダウンリンクサブフレームの時間期間内にＵＥへダウンリンクメッセージを送信し得る。Ｕタイプサブフレームは、４０３に示されるように、アップリンク（ｕｐｌｉｎｋ）サブフレームを表し、ｅノードＢは、アップリンクサブフレームの時間期間内に、ＵＥによって送信されたアップリンクメッセージを受信し得る。Ｓタイプサブフレームは、４０２に示されるように、スペシャル（ｓｐｅｃｉａｌ）サブフレームを表し、ダウンリンクとアップリンクとの間の切り替え又は反転を実装するために使用される。また、ｅノードＢは、ダウンリンクデータを送信するように構成されてもよく、スペシャルサブフレームはダウンリンクサブフレームと見なされてもよい。
【００３０】
図４に示されるように、車両が緊急ブレーキ又は制御不能などの緊急事態に遭遇し、車両は、ｅノードＢにデータを報告するために、車両にアップリンクエアインターフェースリソースを割り当てることをｅノードＢに要求するためのスケジューリング要求メッセージを、アップリンクサブフレーム４０３中でｅノードＢに報告することが仮定される。内部リソースプランニング又は割り当ての後、ｅノードＢは、車両に割り当てられたか又は車両によって使用されることを許可されたアップリンクエアインターフェースリソースを示すためのＵＬ許可メッセージを、４０４ダウンリンクサブフレーム中で車両に送信し、それは、４０３におけるエアインターフェースリソースを要求してから、４０４における許可されたエアインターフェースリソースまで、７ｍｓを要する。車両によって使用されることを許可されたアップリンクエアインターフェースリソースを受信した後、車両は、データを直ちに報告することができず、アップリンクサブフレーム４０５中でデータを報告するために４ミリ秒間待つ必要がある。次いで、２ｍｓ間処理された後、受信された車両によって報告されるデータは、ダウンリンクサブフレーム４０６が位置する時点においてｅノードＢによってＶ２Ｘ  ＡＳに送信される。
【００３１】
車両は、車両が送信されるべき又は報告されるべきデータを有するかどうかをｅノードＢに通知するために、アップリンクサブフレーム４０５中でバッファ状態報告（ｂｕｆｆｅｒ  ｓｔａｔｕｓ  ｒｅｐｏｒｔ、ＢＳＲ）をさらに報告することに留意されたい。車両が、報告されるのを待っているデータをキャッシュしている場合、ｅノードＢは、車両にアップリンクエアインターフェースリソースを割り当て、車両に再びＵＬ許可メッセージをさらに送信する必要がある。ｅノードＢは、Ｖ２Ｘ  ＡＳにデータを転送するためにエアインターフェースリソースを使用する必要がなく、エアインターフェースリソース、即ち、時間サブフレームとの結合関係を有しないことにさらに留意されたい。本明細書では、ｅノードＢがＶ２Ｘ  ＡＳにデータを転送する時点を示すために、ダウンリンクサブフレーム４０６が位置する時点のみが使用される。
【００３２】
図４に示される時間データは、実際の環境における典型的データであり、概して代表的である。例えば、アップリンクサブフレーム４０３中でスケジューリング要求メッセージを受信した後、ｅノードＢは、通常、この期間中に次の４つのダウンリンクサブフレーム中でＵＥにＵＬ許可メッセージを直ちに送信することができず、次いで、ＵＥにＵＬ許可メッセージを送信するために、次の期間中、ダウンリンクサブフレームを待つ必要がある。上記の解析から、車両はＶ２Ｘ  ＡＳにデータを報告する必要があることがわかりうる。１３ｍｓのレイテンシは、車両からｅノードＢへのエアインターフェースにデータを送信するためにのみ消費される。４０５においてｅノードＢがデータを受信してから、４０６においてｅノードＢがデータを送信するまでの２ｍｓのレイテンシは、エアインターフェースに依存せず、残り１１ｍｓのレイテンシは、エアインターフェースリソース（ＵＬグラント）を配信してからデータ（Ｄａｔａ）を報告するまでであり、ＴＤＤ−ＬＴＥ技術のアップリンクサブフレームとダウンリンクサブフレームとの比率によって部分的に引き起こされるレイテンシ（４ｍｓ）、及びｅノードＢによってエアインターフェースリソーススケジューリング要求（Ｓｃｈｅｄｕｌｉｎｇ  Ｒｅｑｕｅｓｔ）を受信した後に内部リソース割り当て処理によって部分的に引き起こされるレイテンシ（７ｍｓ）である。
【００３３】
図４は、例としてＴＤＤ−ＬＴＥ技術を使用することによるエアインターフェースレイテンシの解析である。図５では、周波数分割複信ロングタームエボリューション（Ｆｒｅｑｕｅｎｃｙ  Ｄｉｖｉｓｉｏｎ  Ｄｕｐｌｅｘｉｎｇ  Ｌｏｎｇ  Ｔｅｒｍ  Ｅｖｏｌｕｔｉｏｎ、ＦＤＤ−ＬＴＥ）技術において、エアインターフェースレイテンシを最適化するための余地もあることを示すための例として、ＦＤＤ−ＬＴＥ技術が使用される。図５に示されるように、ＵＥ及びｅノードＢは、ＦＤＤ−ＬＴＥ技術を使用することによって通信する。ＦＤＤ−ＬＴＥ技術は周波数分割技術であるので、レイテンシ解析は、図４に示されるように時間軸の形態でｅノードＢ側で実施されることが不可能であり、図５では、ＵＥ側の時間は、レイテンシ解析を実施するための基準として使用される。
【００３４】
時点ｎ−ｘ（時間単位はｍｓ）：ＵＥが、Ｖ２Ｘ  ＡＳに報告される必要があるデータを生成する。
【００３５】
時点ｎ：ＵＥが、データを報告するためにｅノードＢにエアインターフェースリソースを要求する。
【００３６】
時点ｎ＋４：ＵＥが、ｅノードＢによって配信され、ＵＥによって使用されることを許可されたエアインターフェースリソースを受信する。
【００３７】
時点ｎ＋８：ＵＥが、ＵＥによって使用されることを許可されたエアインターフェースリソースを使用することによってデータを報告し、ＢＳＲを使用することによって残りの送信されるべきデータボリュームを報告する。
【００３８】
時点ｎ＋１３：ＵＥが、ｅノードＢによって配信され、ＵＥによって使用されることを許可されたエアインターフェースリソースを受信し続ける。
【００３９】
時点ｎ＋１６：ＵＥが、残りのデータを報告する。
【００４０】
上記の解析から、ＦＤＤ−ＬＴＥの場合では、ＴＤＤ−ＬＴＥの場合と同様に、Ｖ２Ｘ  ＡＳに報告される必要があるデータを生成した後、車両は、最初に、ｅノードＢにエアインターフェースリソースを申請する必要があり、ｅノードＢが車両にリソースを割り当てるまで待ち、次いで、車両はデータを報告することがわかりうる。ｅノードＢは、車両が緊急状態に入ろうとしていることを知覚することができる場合、車両はエアインターフェースリソースを申請する必要がなく、ｅノードＢは、車両にエアインターフェースリソースをアクティブに割り当て、エアインターフェース通信レイテンシは大幅に短縮されることがあり、従って、Ｖ２Ｘ  ＡＳは、より短い時間内に車両バースト条件に応答し、例えば、より迅速に周辺車両に通知するか又はより迅速に車内運転者に緊急ハンドリングガイドを提供し、従って、Ｖ２Ｘサービス体験が大幅に改善されうるだけでなく、緊急事態におけるＶ２Ｘシステムのセキュリティ及び信頼性も改善されうる。
【００４１】
無線トランシーバノードとして、ｅノードＢは、車両によって報告されるデータを無線トランシーバノードが解析する場合でも、車両によって報告されるデータ又は車両の周りの環境データを解析しないが、車両の走行処理中に、単一の無線トランシーバノードが、時間期間内に車両関係データを受信することのみができ、包括的な解析を実施することができない。従って、無線トランシーバノードは車両状態を知覚することができない。この出願では、車両又は端末に関係するデータに基づいて、協調無線リソーススケジューリングが車両又は端末上で実施される必要があると決定したとき、ビークルツーエブリシングアプリケーションサーバのデータ処理及び解析能力が使用され、ビークルツーエブリシングアプリケーションサーバは、協調無線リソーススケジューリングを開始するように無線トランシーバノードに命令し、無線トランシーバノードは、車両にエアインターフェースリソースを直ちに割り当て、車両によって要求される必要がなく、無線トランシーバノードは、車両にＵＬ許可メッセージをアクティブに配信し、従って、車両は、データを可能な限り速やかに報告することができる。この出願における「協調無線リソーススケジューリング」は、モノのインターネットアプリケーションサーバが、特定のモードで特定の端末上で無線リソーススケジューリングを実施するように無線トランシーバノードを協調させるか又はそれに命令することを指す。無線リソーススケジューリングの特定のモードは、従来技術における無線トランシーバノードの無線リソーススケジューリングモードとは異なり、事前同意されたモードであり得るか、又はモノのインターネットアプリケーションサーバのインジケーションパラメータに基づいて決定されるモードであり得る。従来技術における無線リソーススケジューリングとは異なるように、この出願では、モノのインターネットアプリケーションサーバのインジケーションに従って無線トランシーバノードによって実施される無線リソーススケジューリングは、協調無線リソーススケジューリングと呼ばれる。
【００４２】
この出願は、協調無線リソーススケジューリングを実施するための決定条件又は決定ルールに限定を設定しない。当業者は、車両緊急警告及び救助シナリオにこの解決策を適用し得るし、又はＶＩＰユーザ体験改善など、分化されたサービスシナリオにこの解決策を適用し得る。ビークルツーエブリシングアプリケーションサーバの内部にある決定アルゴリズム及びこのアルゴリズムによって必要とされる入力データは、要件に基づいて特定のアプリケーションシナリオにおいて当業者によって設定される。車両関係データは、車両によって報告される走行データ、路側ユニット（ｒｏａｄ  ｓｉｄｅ  ｕｎｉｔ、ＲＳＵ）によって報告される車両周囲環境情報、又はサードパーティインテリジェントトランスポートシステム（Ｉｎｔｅｌｌｉｇｅｎｔ  Ｔｒａｎｓｐｏｒｔ  Ｓｙｓｔｅｍ、ＩＴＳ）から取得される基本セキュリティメッセージ（ｂａｓｉｃ  Ｓｅｃｕｒｉｔｙ  ｍｅｓｓａｇｅ、ＢＳＭ）、マップデータ、並びに信号位相及びタイミング（Ｓｉｇｎａｌ  Ｐｈａｓｅ  ａｎｄ  Ｔｉｍｉｎｇ、ＳＰａＴ）などの情報を含み得る。Ｖ２Ｘ  ＡＳは、車両関係データに基づいて、車両が高速走行、（飲酒運転などの）異常運転、及び交差道路などの緊急事態にあると決定し、次いで、Ｖ２Ｘサービスの協調無線リソーススケジューリングを実施するために、ｅノードＢに協調無線リソーススケジューリング命令を配信する。Ｖ２Ｘ  ＡＳは、特定のメッセージを使用することによって、特定のＵＥのために協調無線リソーススケジューリングを実施するように無線トランシーバノードに命令し得るし、又は従来技術におけるメッセージ中の協調無線リソーススケジューリングインジケーション情報要素を拡張することによって、特定のＵＥのために協調無線リソーススケジューリングを実施するように無線トランシーバノードに命令し得ることに留意されたい。「インジケーション」の特定の方式はこの出願では限定されず、同意されたメッセージ名を使用することによるもの、又は同意された情報要素を使用することによるものであり得る。
【００４３】
図６に示されるように、ステップ６０１において、ＵＥとビークルツーエブリシングアプリケーションサーバとの間でＶ２Ｘサービスベアラが確立され、Ｖ２Ｘサービスベアラは、ワイヤレス及びワイヤード送信リソースを含めて、通信ネットワークによって提供される。メッセージ６０３が受信される前の時間期間６０２中に、無線トランシーバノードは、既存の無線リソース割り当て機構に従ってＵＥに無線リソースを割り当て、即ち、図４、図５、又は別の既存の無線リソーススケジューリング解決策に従ってＵＥに無線リソースを割り当てる。ビークルツーエブリシングアプリケーションサーバは、時間内にＵＥのＶ２Ｘサービスのデータを報告するために、協調エアインターフェースリソーススケジューリングがＵＥ上で実施される必要があることを決定する。ビークルツーエブリシングアプリケーションサーバは、メッセージ６０３中で、ＵＥ上で協調無線リソーススケジューリングを開始するか又はアクティブにするように無線トランシーバノードに命令する。無線トランシーバノードは、ＵＥ上で協調無線リソーススケジューリングを開始する。メッセージ６０６が受信される前の時間期間６０５中に、ＵＥは無線リソースを申請する必要がなく、無線トランシーバノードは、ＵＥに無線リソースをアクティブに割り当てる。協調エアインターフェースリソーススケジューリングがＵＥ上で実施される必要がないと決定したとき、ビークルツーエブリシングアプリケーションサーバは、ＵＥ上で協調無線リソーススケジューリングを停止するか又は非アクティブにするように無線トランシーバノードに命令するためのメッセージ６０６を送信し、無線トランシーバノードは、次の時間６０８において既存の無線リソース割り当て機構に従ってＵＥに無線リソースを割り当てる。任意選択で、メッセージ６０３が、Ｖ２Ｘサービスなどのサービスの識別子を搬送する場合、メッセージ６０３を受信したとき、無線トランシーバノードは、協調無線リソーススケジューリングに関係するサービスをＵＥにさらに通知してもよく、従って、ＵＥが複数のサービス又はデータ接続を同時に有するとき、ＵＥは、協調無線リソーススケジューリングの無線リソースを使用することによって、特定のサービスのデータを優先的に報告する。例えば、ＵＥが音声サービス、インターネットアクセスサービス、及びＶ２Ｘサービスを同時に実施するとき、緊急事態が車両上で発生したとき、ビークルツーエブリシングアプリケーションサーバは、メッセージ６０３中でＶ２Ｘサービスの識別子を指定してよく、従って、無線トランシーバノードは、メッセージ６０４中で、Ｖ２Ｘサービスのデータを優先的に報告するようにＵＥに命令し得る。同様に、ＵＥ上の協調無線リソーススケジューリングが実施されることが停止されることを示すメッセージ６０６を受信した後、メッセージ６０６が、（モノのインターネットサービスのアプリケーションレイヤ識別子などの）モノのインターネットサービス識別子又はサービスのベアラ識別子を搬送する場合、無線トランシーバノードは、特定のサービスデータを優先的に報告することを停止するためのメッセージ６０７をＵＥにさらに送信し得る。ＵＥが複数の接続又はサービスを有し、複数のタイプのサービスデータを報告する必要があるとき、ＵＥがどのようにＶ２Ｘサービスに優先度を付けるかは、この出願の保護範囲内に入らない。この出願はまた、ＵＥ内のデータ送信キューアルゴリズム又は優先度ソートアルゴリズムに限定を設定しない。Ｖ２Ｘ  ＡＳと無線トランシーバノードとの間のメッセージは、ゲートウェイ又はルータなど、別のデバイス又はネットワーク要素によって転送される必要がさらにあり得ることに留意されたい。これらの中間ネットワーク要素又はデバイスはメッセージを転送するだけなので、それらは図に反映されていない。
【００４４】
図６で述べられたように、時間期間６０５中に使用される協調無線リソーススケジューリング又は協調エアインターフェースリソーススケジューリングの解決策について、例としてＴＤＤ−ＬＴＥ技術を使用することによって説明された。図７に示されるように、ｅノードＢは、サブフレーム７００の時点において、ＵＥのために協調無線リソーススケジューリングを可能にするためのＶ２Ｘ  ＡＳによって送信されたインジケーションを受信し、ｅノードＢは、ＵＥの無線リソースを許可するために、ダウンリンクサブフレーム７０１中でＵＥにＵＬ許可メッセージをアクティブに送信し、ＵＥは、次のアップリンクサブフレーム７０２中でＶ２Ｘサービスのデータを報告し得ることが仮定される。次に、ｅノードＢは、サブフレーム７０４が位置する時点において、ビークルツーエブリシングアプリケーションサーバにＶ２Ｘサービスのデータを転送する。このようにして、ｅノードＢがＵＥに無線リソースを許可してから、ｅノードＢがビークルツーエブリシングアプリケーションサーバにデータを転送するまでのアップリンクレイテンシは、僅か７ｍｓを必要とし、それにより、無線リソースを要求してから許可するまでの待ち時間を節約する。また、緊急リソーススケジューリングが開始された後、ｅノードＢは、増加された頻度でＵＥに無線リソースを許可する。図７に示されるように、ｅノードＢは、ダウンリンクサブフレーム７０３中でＵＥに無線リソースを許可し続ける。同じ時間期間中に、図４に示される既存のリソーススケジューリング方式によれば、ＵＥはデータを１回のみ報告することができる。しかし、図７に示される協調無線リソーススケジューリングモードによれば、ＵＥはデータを３回報告することができ、データ報告の頻度は大幅に増加され、アップリンクレイテンシは著しく短縮される。
【００４５】
図８は、ＦＤＤ−ＬＴＥ技術における協調無線リソーススケジューリングの概略図である。図５と比較された図８の効果は、図４と比較された図７のそれと同様である。これについて本明細書で再び説明されない。図７及び図８は、ｅノードＢが協調無線リソーススケジューリングを開始した後のスケジューリングモードの概略図にすぎないことに留意されたい。この出願では、協調無線リソーススケジューリングのスケジューリングモードは限定されない。協調無線リソーススケジューリングを可能にするためのインジケーションを受信した後、無線トランシーバノードは、特定のモード、協調無線リソーススケジューリング要求中のパラメータ、又は無線トランシーバノードの構成パラメータに基づいて無線リソーススケジューリングモードを選択し得る。図７に示されるように、サブフレーム７００の時点において協調無線リソーススケジューリングのためのインジケーションを受信した後、ｅノードＢは、いずれかのダウンリンクサブフレームを選択してＵＥにＵＬ許可メッセージを送信し得る。ｅノードＢがＵＥにＵＬ許可無線リソースを配信する頻度はまた、ｅノードＢの構成に基づいて調整され得る。ダウンリンクサブフレーム７０１中で初めてＵＬ許可メッセージを配信した後、ｅノードＢは、７０１のいずれかの後続のダウンリンクサブフレーム中で再びＵＬ許可メッセージを配信することを選択し得る。
【００４６】
図４、図５、図７、及び図８では、協調無線リソーススケジューリングについて、例として４Ｇ無線アクセス技術ＴＤＤ−ＬＴＥ及びＦＤＤ−ＬＴＥを使用することによって説明されたことに留意されたい。しかし、この出願において提供される協調無線リソーススケジューリング技術的解決策は、端末又はＵＥに基づいて無線リソースを割り当てる別の無線アクセス技術にも適用可能であることを当業者は理解すべきである。無線トランシーバノードは、モノのインターネットアプリケーションサーバの命令の下で、協調無線リソーススケジューリングが特定の端末上で実施される必要があることを知ることができるとすれば、無線トランシーバノードは、無線トランシーバノードによって使用される無線技術に基づいて、特定のモードにおける無線リソーススケジューリング、及び特定の端末上の協調無線リソーススケジューリングを実施し得る。この特定のモードにおける無線リソーススケジューリングは、無線アクセス技術における従来のスケジューリング方式とは異なり、スケジューリング優先度を増加又は減少させることであり得るし、或いはスケジューリング頻度を加速又は減速することであり得るし、或いは端末にリソースをアクティブに割り当てることであり得る。この出願は、協調無線リソーススケジューリングのスケジューリングモードを限定しない。
【００４７】
上記では、この出願において提供される技術的解決策のシステムアーキテクチャ及び全体的な発明の概念について説明している。図６に示されるように、モノのインターネットアプリケーションサーバは、無線トランシーバノードと協働して、特定の端末上で無線リソーススケジューリングを実施する必要があり、モノのインターネットアプリケーションサーバは、協調無線リソーススケジューリングを実施する必要があるＵＥの識別子、及び協調無線リソーススケジューリングのインジケーションを無線トランシーバノードに少なくとも通知する必要がある。ＵＥの識別子は、無線トランシーバノードによって一意に識別されることが可能であるＵＥの識別子である。ＵＥの識別子の特定のタイプ及びフォーマットは、この出願では限定されず、国際モバイルサブスクライバ識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、グローバル一意一時ＵＥ識別（Ｇｌｏｂａｌｌｙ  Ｕｎｉｑｕｅ  Ｔｅｍｐｏｒａｒｙ  ＵＥ  Ｉｄｅｎｔｉｔｙ、ＧＵＴＩ）、移動局国際ＩＳＤＮ番号（Ｍｏｂｉｌｅ  ｓｔａｔｉｏｎ  Ｉｎｔｅｒｎａｔｉｏｎａｌ  ＩＳＤＮ  ｎｕｍｂｅｒ、ＭＳＩＳＤＮ）、又は別のタイプの識別子であり得る。また、解決策の実際の発展プロセスでは、解決策を最適化又は改善するために、以下の技術的要因がさらに考慮され得る。
【００４８】
最初に、協調無線リソーススケジューリングは、従来の無線スケジューリングモードにおける通信の公正さ及び効率バランスを細分化するので、通信ネットワークは、（ワイヤード及びワイヤレスを含む）ネットワークリソースの提供者として、協調無線リソーススケジューリングを制御する必要がある。ビークルツーエブリシングアプリケーションサーバは、協調無線リソーススケジューリングを実施する必要がある車両を通信ネットワークに通知し、通信ネットワークは、車両のために協調無線リソーススケジューリングを開始するかどうかを最終的に決定する。通信ネットワークは、トラフィック制御に基づいて決定し、例えば、単位時間当たり限られた量の緊急リソーススケジューリング要求のみを許可し得る。通信ネットワークは、さらに、サブスクリプションデータに基づいて決定し得る。例えば、ＵＥのために協調無線リソーススケジューリングを可能にするための要求を受信した後、通信ネットワークは、ＵＥが協調無線リソーススケジューリングに同意するかどうかを問い合わせる。ＵＥが協調無線リソーススケジューリングに同意するときのみ、通信ネットワークは、協調無線リソーススケジューリングがＵＥのために開始されることを許可する。協調無線リソーススケジューリングの同意は、ＵＥのグラニュラリティにあってもよく、又はＵＥのサブスクリプションデータ中のアクセスポイント名（ａｃｃｅｓｓ  ｐｏｉｎｔ  ｎａｍｅ、ＡＰＮ）のグラニュラリティにあってもよい。ＡＰＮは、ＵＥが特定の方式で通信ネットワーク以外の外部ネットワークにアクセスすることを指す。インターネット、グループ企業の内部ネットワーク、産業界の内部プライベートネットワーク、及びビークルツーエブリシングなど、多くのタイプの外部ネットワークがある。各ＡＰＮは、複数のパケットデータネットワーク（ｐａｃｋｅｔ  ｄａｔａ  ｎｅｔｗｏｒｋ、ＰＤＮ）接続を有し得る。図９に示されるように、協調無線リソーススケジューリングのサブスクリプションデータは、ＵＥのサブスクリプションデータ中に独立したデータとして記憶され得るか、又はＡＰＮに結合されたデータであり得る。協調無線リソーススケジューリングのサブスクリプションデータの特定の値は、無効にされたアクティブ化であり得るか、デフォルトアクティブ化であり得るか、又は条件付きアクティブ化であり得る。
【００４９】
次に、図６の６０４に示されるように、無線トランシーバノードがＵＥのために無線リソースをスケジュールした後、ＵＥが、通信ネットワーク上で協調無線リソーススケジューリングが実施されるサービスを明らかに理解することを可能にし、従って、ＵＥが、協調無線リソーススケジューリングのリソースを使用することによって、サービスに関係するデータを優先的に報告することができるために、無線トランシーバノードは、ベアラ識別子又はアプリケーションレイヤの識別子など、サービスに関係する識別子をＵＥに通知する必要がある。また、図９に示されるように、ＵＥによって同意された協調無線リソーススケジューリングデータがＶ２Ｘ  ＡＰＮに結合されたとき、通信ネットワークは、協調無線リソーススケジューリングがＵＥ上で開始されることが可能であるかどうかを決定するために、ＵＥとＶ２Ｘ  ＡＳとの間のＰＤＮ接続に関する情報をも知って、ＰＤＮ接続が属するＡＰＮを取得する必要がある。従って、通信ネットワークに協調無線リソーススケジューリング要求を送信するとき、Ｖ２Ｘ  ＡＳは、協調無線リソーススケジューリングが特定のモノのインターネットサービス上で実施される必要があることを識別するために、アプリケーションレイヤのサービス識別子又はベアラプレーン若しくはベアラ識別子のサービスフロー情報をさらに搬送し得る。
【００５０】
また、無線トランシーバノード側の協調無線リソーススケジューリング機構又はモードは、図７で説明されるようにこの出願では限定されないが、Ｖ２Ｘ  ＡＳは、協調無線リソーススケジューリングインジケーション又は要求メッセージ中で協調無線リソーススケジューリングレイテンシ要件をやはり搬送してよく、それにより、無線トランシーバノードは、例えば、最も高い優先度又は最も高い頻度を使用することによって最も短いレイテンシ要件でＵＥ上でリソーススケジューリングを実施して、協調無線リソーススケジューリングレイテンシ要件の緊急度に基づいて協調無線リソーススケジューリングの優先度を調整する。
【００５１】
最後、協調無線リソーススケジューリング効率をさらに改善するために、Ｖ２Ｘ  ＡＳは、協調無線リソーススケジューリングアップリンクパケット期間又はアップリンクパケット時点をメッセージ６０３に追加してよく、無線トランシーバノードは、さらに、メッセージ６０４を使用することによって協調無線リソーススケジューリングアップリンクパケット期間又はアップリンクパケット時点をＵＥに送信する。従って、無線トランシーバノード側の協調無線リソーススケジューリングは、ＵＥのアップリンクパケットの速度と整合されて、ＵＥ側がアップリンクパケットを送信する期間又は時点と一致しない無線リソースを無線トランシーバノードがＵＥに割り当てる期間又は時点によって引き起こされる無線リソース浪費が回避され得る。また、上記で説明されたように、ＵＥがメッセージ中で全てのデータを報告することができないとき、ＵＥは、ＵＥに無線リソースを割り当て続けるようにｅノードＢに命令するために、報告されるメッセージにＢＳＲを追加する。このように、ＵＥは、全てのデータの報告を完了するために次の又はさらなるリソース割り当てを待つ必要がある。Ｖ２Ｘ  ＡＳはまた、全てのデータパケットがアップロードされて完全なデータパケットが解析されて処理されるまで待つ必要があり、それにより、ＵＥ側のイベントをＶ２Ｘ  ＡＳによって処理し、それに応答するレイテンシが増加する。従って、Ｖ２Ｘ  ＡＳは、協調無線リソーススケジューリングアップリンクパケットサイズをメッセージ６０３にさらに追加してよく、無線トランシーバノードは、メッセージ６０４を使用することによって協調無線リソーススケジューリングアップリンクパケットサイズをＵＥに送信する。このようにして、無線トランシーバノードによって割り当てられる無線リソースは、同意されたアップリンクパケットサイズに基づいてＵＥによって実施される緊急又は低レイテンシ通信を満たすことができることが保証され、具体的には、無線トランシーバノードは一度に十分な無線リソースを割り当て、ＵＥも、同じ仕様に基づいてデータをカプセル化し、１つのアップリンクメッセージ中でアップロードされる必要があるデータをアップロードすることを試みることができることが保証されることが可能である。
【００５２】
上記の技術的解決策の考慮に基づいて、図１０は、技術的解決策の方法の概略フローチャートである。図１０の協調無線リソーススケジューリング決定機能は、通信ネットワークにおいて協調無線リソーススケジューリング機能を制御し、Ｖ２Ｘ  ＡＳから協調無線リソーススケジューリング要件を受信し、協調無線リソーススケジューリングを開始するかどうかを最終的に決定することを担当するために使用される。ベアラ制御機能は、Ｖ２Ｘ  ＡＳによって送信されるＶ２Ｘサービスフロー情報に基づいて、Ｖ２Ｘサービスに対応する（協調無線リソーススケジューリング決定機能及び無線トランシーバノードなどの）通信ネットワーク内部デバイス又は機能によって識別されることが可能であるベアラ識別子を取得するために使用される。協調無線リソーススケジューリング決定機能及びベアラ制御機能の２つの名前は、上記の２つの論理機能の概要にすぎない。この出願は、上記の機能を特に実装する通信ネットワーク要素又は通信デバイスに限定されない。例えば、上記の機能のいずれか１つは、１つの通信ネットワーク要素若しくはデバイスのみによって実装され得るか、又は複数の通信ネットワーク要素若しくはデバイスによって一緒に実装され得る。この実施形態では、インジケーションの目的は、協調無線リソーススケジューリングアクティブ化インジケーションを新たに追加する方式で実装され、別の方式で（例えば、メッセージ名インジケーションを使用することによって）インジケーションを実装する技術的解決策もこの出願の保護範囲内にある。
【００５３】
１０００：ＵＥが、無線トランシーバノードを使用することによってＶ２Ｘ  ＡＳへの接続を確立し、ＵＥが、Ｖ２Ｘ  ＡＳに車両関係データを報告する。
【００５４】
１００１；Ｖ２Ｘ  ＡＳが、Ｖ２Ｘサービス協調無線リソーススケジューリングがＵＥ上で実施される必要があることを識別し、協調無線リソーススケジューリングを要求するためのメッセージを通信ネットワークに送信し、メッセージは、ＵＥの識別子、（ＩＰアドレス、ポート番号、プロトコル、及び帯域幅などの情報を含む）Ｖ２Ｘサービスフロー情報、並びに協調無線リソーススケジューリングアクティブ化インジケーションを含み、任意選択で、Ｖ２Ｘサービス識別子、協調無線リソーススケジューリングレイテンシ要件、協調無線リソーススケジューリングアップリンクパケットサイズ、及び協調無線リソーススケジューリングアップリンクパケット期間又はアップリンクパケット時点などの情報をさらに含み得る。
【００５５】
１００２：ベアラ制御機能が、Ｖ２Ｘ  ＡＳから要求メッセージを受信し、メッセージ中のＶ２Ｘサービスフロー情報に基づいて、対応するＶ２Ｘサービスベアラ識別子を取得し、Ｖ２Ｘサービスベアラ識別子は、通信ネットワーク中の協調無線リソーススケジューリング決定機能と無線トランシーバノードの両方によって識別されることが可能である識別子である。この出願において述べられるＶ２Ｘサービス識別子とＶ２Ｘサービスベアラ識別子の両方は、Ｖ２Ｘサービスを識別するために使用されてよく、Ｖ２Ｘサービス識別子は、アプリケーションレイヤ識別子であり、Ｖ２Ｘサービスを識別するためにＶ２Ｘサーバ及びＵＥによって使用され、Ｖ２Ｘサービスベアラ識別子は、ユーザプレーン又はベアラプレーンの識別子であり、Ｖ２Ｘサービスフローのベアラを識別するために通信ネットワーク中のデバイス又はネットワーク要素によって使用されることに留意されたい。
【００５６】
１００３：ベアラ制御機能が、協調無線リソーススケジューリング要求メッセージを協調無線リソーススケジューリング決定機能に転送し、１００３におけるメッセージは、ＵＥの識別子、Ｖ２Ｘサービスフロー情報、Ｖ２Ｘサービスベアラ識別子、及び協調無線リソーススケジューリングアクティブ化インジケーションを少なくとも含む。１００１におけるメッセージが、Ｖ２Ｘサービス識別子、協調無線リソーススケジューリングレイテンシ要件、協調無線リソーススケジューリングアップリンクパケットサイズ、協調無線リソーススケジューリングアップリンクパケット期間、及び協調無線リソーススケジューリングアップリンクパケット時点などの情報を含むとき、ベアラ制御機能は、１００３におけるメッセージ中に任意選択の情報をも含む。
【００５７】
１００４：協調無線リソーススケジューリング決定機能が、協調無線リソーススケジューリング要求メッセージを受信し、協調無線リソーススケジューリングがＶ２Ｘサービスのために開始されることが許可されるかどうかを決定する。協調無線リソーススケジューリング決定機能は、図９に示されるＵＥのサブスクリプションデータに基づいて決定し、協調無線リソーススケジューリングに関係するサブスクリプションデータは、Ｖ２Ｘ  ＡＰＮに結合され、協調無線リソーススケジューリング決定機能は、Ｖ２Ｘサービスベアラ識別子及びＶ２Ｘサービスフロー情報に基づいて、対応するＶ２Ｘ  ＡＰＮを決定し、次いで、ＵＥのサブスクリプションデータに基づいて、Ｖ２Ｘ  ＡＰＮが協調無線リソーススケジューリングをアクティブにすることを許可されるかどうかを決定することが仮定される。
【００５８】
１００５：協調無線リソーススケジューリング決定機能がサブスクリプションデータ決定に基づいてアクティブ化を許可したとき、協調無線リソーススケジューリング決定機能が、協調無線リソーススケジューリング要求メッセージを無線トランシーバノードに転送し、メッセージ中に含まれるコンテンツは１００３において記述される。
【００５９】
１００６：無線トランシーバノードが、１００５における受信された要求メッセージをＵＥに転送する。
【００６０】
１００７；無線トランシーバノードが、協調無線リソーススケジューリングアクティブ化インジケーション、及び１００５におけるメッセージ中で取得された他の可能な情報に基づいて、ＵＥに無線リソースをアクティブに許可する。
【００６１】
１００８：ＵＥが、無線トランシーバノードによって割り当てられた無線リソースを使用することによって１００６におけるメッセージ中で受信された情報に基づいてデータを報告する。例えば、協調無線リソーススケジューリングアクティブ化インジケーション及び協調無線リソーススケジューリングレイテンシ要件に基づいて、ＵＥが、ＵＬ＿Ｇｒａｎｔを使用することによって割り当てられたアップリンク無線リソースを受信したとき、ＵＥは、Ｖ２Ｘサービスアップリンクパケットにアップリンク無線リソースを優先的に割り当てる。協調無線リソーススケジューリングアップリンクパケットサイズに基づいて、ＵＥによって報告されるアップリンクパケットサイズは、協調無線リソーススケジューリングアップリンクパケットサイズと同じであるはずである。協調無線リソーススケジューリングアップリンクパケット期間又はアップリンクパケット時点に基づいて、ＵＥがアップリンクパケットを送信する期間及び時点は、ｅノードＢの協調無線リソーススケジューリングの速度と整合されて、アップリンクレイテンシが最小限に抑えられる。
【００６２】
１００９：無線トランシーバノードが、データをＶ２Ｘ  ＡＳに転送する。
【００６３】
１００７から１００９に対応する特定の無線側リソーススケジューリングについては、図７又は図８を参照されたい。
【００６４】
図１０に示されるメッセージ名は、メッセージを使用することによって実装されるべき機能又は目的の概要にすぎないことに留意されたい。特定の解決策実装中に、当業者は、特定の通信ネットワークタイプ及び選択された通信プロトコルに基づいて図１０のメッセージの機能を実装するために適切なメッセージを選択し得る。図６の６０３と比較して、図１０の１００１から１００５は、どのようにビークルツーエブリシングアプリケーションサーバが協調無線リソーススケジューリングを実施するように無線トランシーバノードに命令するかをさらに改善及び最適化するために使用される。
【００６５】
ビークルツーエブリシングアプリケーションサーバが、データ解析に基づいて、協調無線リソーススケジューリングがＵＥ上で実施される必要がないと決定したとき、図６のメッセージ６０６に示されるように、ビークルツーエブリシングアプリケーションサーバは、協調無線リソーススケジューリングを非アクティブにするように無線トランシーバノードに命令する必要がさらにあることが理解され得る。図１１は、図１０に対応する非アクティブ化協調無線リソーススケジューリング手順であり、１０００から１００９は、図１０における説明と同じである。Ｖ２Ｘ  ＡＳが、協調無線リソーススケジューリングがＵＥ上で実施される必要がないと決定したとき、Ｖ２Ｘ  ＡＳは、協調無線リソーススケジューリング停止メッセージ１０１０をベアラ制御機能に送信し、メッセージは、ＵＥの識別子、（ＩＰアドレス、ポート番号、プロトコル、及び帯域幅などの情報を含む）Ｖ２Ｘサービスフロー情報、並びに協調無線リソーススケジューリング非アクティブ化インジケーションを少なくとも含み、ベアラ制御機能は、ステップ１０１１において、Ｖ２Ｘサービスフロー情報に対応するＶ２Ｘサービスベアラ識別子を取得し、１０１２にＶ２Ｘサービスベアラ識別子を追加する。協調無線リソーススケジューリング決定機能は、メッセージ１０１２を受信し、メッセージ１０１３など、メッセージを無線トランシーバノードに直接転送する。任意選択で、無線トランシーバノードは、メッセージをＵＥにさらに転送して（例えば、メッセージ１０１４）、ＵＥが、特定のサービスのデータを優先的に送信する必要がなく、１００６におけるメッセージの命令に従ってスペシャルメッセージカプセル化及び報告を実施する必要がないことを示し得る。
【００６６】
Ｖ２Ｘ  ＡＳは、ＶＣＦを使用することによって通信ネットワークへの協調無線リソーススケジューリング要求をさらに開始し得る。図１２に示されるように、図１２に示される手順は、図１０のそれと基本的に同じである。これらの手順の間の差異は、図１０のメッセージ１０００が図１２のメッセージ１００１−２に対応することである。図１２のメッセージ１００１−１中に含まれるコンテンツは、メッセージ１０００中のそれと同じであり得る。ＶＣＦがＵＥとＶ２Ｘ  ＡＳとの間の接続確立に関与する場合、メッセージ１００１−１は、アプリケーションレイヤにおけるＶ２Ｘサービス識別子のみを含むこともあり、ＶＣＦは、アプリケーションレイヤにおけるＶ２Ｘサービス識別子に基づいて、対応するＶ２Ｘサービスフロー情報を決定し、メッセージ１００１−２にＶ２Ｘサービスフロー情報を追加する。
【００６７】
図１０において説明された技術的解決策概要に基づいて、例として４Ｇ通信ネットワークが使用される。図１３は、４Ｇ通信ネットワークにおいて技術的解決策を実装するメッセージフローチャートである。図１３では、図１０に示される技術的解決策を実装するために４Ｇ通信ネットワークにおけるベアラ更新手順が再使用される。図１３のＰＣＲＦ及びＳ／ＰＧＷは、図１０のベアラ制御機能を一緒に実装し、図１３のＭＭＥは、図１０の協調無線リソーススケジューリング決定機能を実装する。特定のメッセージフローについて以下のように説明され、技術的解決策に強く関係している再使用される従来技術の部分のみについて強調して説明される。
【００６８】
１３００：ＵＥが、４Ｇ通信ネットワークを使用することによってＶ２Ｘ  ＡＳへの接続を確立し、ｅノードＢ及びＳ／Ｐ−ＧＷを使用することによってＵＥとＶ２Ｘ  ＡＳとの間のベアラが実施される。また、ＭＭＥ及びＰＣＲＦも、ベアラを確立するシグナリング処理に関与する。
【００６９】
１３０１：Ｖ２Ｘ  ＡＳが、緊急リソーススケジューリングを要求するためのＡＡ要求（認証及び認可）メッセージをＰＣＲＦに送信する。１００１において説明されたように、ＡＡ要求メッセージは、ＵＥの識別子、（ＩＰアドレス、ポート番号、プロトコル、及び帯域幅などの情報を含む）Ｖ２Ｘサービスフロー情報、協調無線リソーススケジューリングアクティブ化インジケーションを少なくとも含み、任意選択で、協調無線リソーススケジューリングレイテンシ要件、協調無線リソーススケジューリングアップリンクパケットサイズ、及び協調無線リソーススケジューリングアップリンクパケット期間又はアップリンクパケット時点などの情報をさらに含み得る。
【００７０】
１３０３：ＰＣＲＦが、Ｖ２Ｘ  ＡＳによって提供されるサービスフロー情報に基づいて、対応するＱＣＩ及びＡＲＰを取得し、ＰＣＲＦが、１３０１における受信されたメッセージにＱＣＩ及びＡＲＰを追加し、ＲＡＲ（Ｒｅ−Ａｕｔｈ  Ｒｅｑｕｅｓｔ）メッセージを使用することによって要求をＳ／Ｐ−ＧＷに転送する。
【００７１】
１３０４：Ｓ／Ｐ−ＧＷが、ＰＣＲＦによって送信されたサービスフローに関係する情報並びにＱＣＩ及びＡＲＰ情報に基づいて、対応するベアラ識別子（Ｂｅａｒｅｒ  ＩＤ）を取得し、１３０３における受信されたメッセージにベアラ識別子を追加し、次いで、更新ベアラ要求メッセージの形態で協調無線リソーススケジューリング要求メッセージをＭＭＥに送信する。
【００７２】
１３０６：ＭＭＥが、受信されたサービスフロー情報及びベアラ識別情報に基づいて、対応するＶ２Ｘ  ＡＰＮを決定し、次いで、協調無線リソーススケジューリングのアクティブ化がサブスクリプション情報中で許可されるかどうかを決定する。サブスクリプション情報が協調無線リソーススケジューリングのアクティブ化を許可するとき、ＭＭＥが、ベアラ修正要求メッセージをｅノードＢに送信し、セッション変更要求メッセージがパケット化される。ベアラ修正要求メッセージ及びセッション変更要求メッセージは、ＵＥの識別子、ベアラ識別子、及び協調無線リソーススケジューリングをアクティブにするためのインジケーションを少なくとも含む。任意選択で、ベアラ修正要求メッセージ及びセッション変更要求メッセージは、協調無線リソーススケジューリングレイテンシ要件、協調無線リソーススケジューリングアップリンクパケットサイズ、協調無線リソーススケジューリングアップリンクパケット期間又はアップリンクパケット時点の少なくとも１つの情報をさらに含み得る。ベアラ修正要求メッセージは、協調無線リソーススケジューリングを開始するようにｅノードＢに命令するために使用され、６０３又は１００５におけるメッセージの例である。セッション変更要求メッセージは、協調無線リソーススケジューリングを開始するようにＵＥに命令するために使用され、６０４又は１００６におけるメッセージの例である。図１５に示されるように、ＭＭＥは、ＵＥがアタッチされる処理中にＨＳＳからユーザのサブスクリプションデータを取得してよく、図１６に示されるように、ユーザのサブスクリプションデータが変化したとき、ＨＳＳはまた、ユーザのサブスクリプションデータを更新するようにＭＭＥにアクティブに命令し、図９に示されるように、ユーザのサブスクリプションデータは協調無線リソーススケジューリングサブスクリプションデータを含むことに留意されたい。
【００７３】
１３０７：無線トランシーバノードが、セッション変更要求メッセージをＲＲＣ接続再構成メッセージにパケット化し、ＲＲＣ接続再構成メッセージをＵＥに送信する。１３０７は、６０４又は１００６におけるメッセージの例と見なされてよい。
【００７４】
１３１３から１００９：詳細については、１００７から１００９における説明を参照されたい。
【００７５】
メッセージ１３０８から１３１３は、既存の４Ｇベアラ更新手順における全ての固有メッセージであることに留意されたい。この出願の技術的解決策はこれらのメッセージを改変しない。詳細について再び説明されない。図１１の非アクティブ化協調無線リソーススケジューリングは、図１３のベアラ更新手順を再使用することによって実装されてもよいことが理解され得る。４Ｇ通信ネットワークでは、ベアラ更新手順を使用することによって非アクティブ化協調無線リソーススケジューリングを実装する手順は、図１３のステップ１３０１から１３１２と基本的に同じである。差異は、非アクティブ化手順において、Ｖ２Ｘ  ＡＳからＵＥへのダウンリンクメッセージ（１３０１、１３０３、１３０５、１３０６、及び１３０７）が非アクティブ化協調無線リソーススケジューリングインジケーションを搬送することにある。また、非アクティブ化手順におけるダウンリンクメッセージは、協調無線リソーススケジューリングレイテンシ要件、協調無線リソーススケジューリングアップリンクパケットサイズ、及び協調無線リソーススケジューリングアップリンクパケット期間又はアップリンクパケット時点を搬送しない。さらに、図１３では、Ｖ２Ｘ  ＡＳはまた、アクティブ化協調無線リソーススケジューリングメッセージをＳ／ＰＧＷに直接送信し、従って、Ｓ／ＰＧＷは図１０のベアラ制御機能を実装し得ることに留意されたい。Ｖ２Ｘ  ＡＳによってＳ／ＰＧＷに送信されるメッセージのコンテンツは、ステップ１３０１のそれと同様である。詳細について本明細書で再び説明されない。
【００７６】
また、図１４に示されるように、図１２に示されるＶ２Ｘ  ＡＳによってＶＣＦを使用することによって協調無線リソーススケジューリングを開始するための方法は、ベアラ更新手順を再使用することによって実装されてもよい。図１４に示される手順は、図１３のそれと基本的に同じである。差異は、図１４では、Ｖ２Ｘ  ＡＳが、ＶＣＦを使用することによって、協調無線リソーススケジューリング開始又は終了を４Ｇ通信ネットワークに送信することにある。１４０２から１４０６は、１３０１から１３０５と同じである。メッセージ１４０１は、ＵＥの識別子、（ＩＰアドレス、ポート番号、プロトコル、及び帯域幅などの情報を含む）Ｖ２Ｘサービスフロー情報、協調無線リソーススケジューリングアクティブ化インジケーションを少なくとも含み、任意選択で、協調無線リソーススケジューリング要件レイテンシ、協調無線リソーススケジューリングアップリンクパケットサイズ、協調無線リソーススケジューリングアップリンクパケット期間又はアップリンクパケット時点などの情報をさらに含み得る。同様に、ＶＣＦを使用することによってＶ２Ｘ  ＡＳによって協調無線リソーススケジューリングを停止するための方法は、ベアラ更新処理を再使用することによって実装されてもよい。詳細について本明細書で再び説明されない。
【００７７】
図１３から図１６は、４Ｇ通信ネットワークにおける、この出願において提供される技術的解決策の可能な特定の実装である。上記で説明されたように、この出願において提供される技術的解決策は、特定の通信ネットワークタイプに限定されず、５Ｇ又は別のタイプの通信ネットワークにも適用可能であり得る。図１７は、例として５Ｇ通信ネットワークを使用することによって、５Ｇ通信ネットワークにおいてこの解決策を実装する、可能な実装を示す。図１７に示される５Ｇ通信ネットワーク中のネットワーク要素又はデバイスの名前は例にすぎず、限定されないことに留意されたい。将来におけるこれらのネットワーク要素の名前又は形態の変化にかかわらず、この解決策の機能が実装されるとすれば、このネットワーク要素又はこのデバイスはこの出願の保護範囲内にある。この出願の提出の日付において、５Ｇ通信ネットワークの規格はまだ完全でなく、ネットワーク要素間のメッセージ手順はまだ議論中であり、図１７に示されるフローチャート中のメッセージ名は例にすぎないことにさらに留意されたい。図１７のＰＣＦ、ＳＭＦ、ＡＭＦ、及びＲＡＮは、図１３の協調無線リソーススケジューリングアクティブ化におけるＰＣＲＦ、Ｓ／Ｐ−ＧＷ、ＭＭＥ、及びｅノードＢの機能をそれぞれ実行する。図１７のメッセージ手順は、図１３のそれと基本的に同じである。詳細について本明細書で再び説明されない。別の点は図１３とは異なる。図１７では、ＡＭＦがＵＤＭからユーザのサブスクリプションデータを取得し、ユーザのサブスクリプションデータは協調無線リソーススケジューリングサブスクリプションデータを含み、ユーザのサブスクリプションデータが変化したとき、ＵＤＭはまた、ユーザのサブスクリプションデータを更新するようにＡＭＦに命令する。
【００７８】
通信ネットワークにおいて協調無線リソーススケジューリングインジケーションメッセージを転送する経路及び方式は、この出願では限定されないことに留意されたい。図１３、図１４、及び図１７に示されるように、Ｖ２Ｘ  ＡＳ又はＶＣＦは、ＰＣＲＦ若しくはＰＣＦに直接接続され得るか、又は最初にメッセージをＳＣＥＦ若しくはＮＥＦに送信し得るし、次いで、ＳＣＥＦ若しくはＮＥＦは、メッセージをＰＣＲＦ若しくはＰＣＦに転送する。もちろん、ＳＣＥＦ若しくはＮＥＦは、メッセージをＭＭＥ又はＡＭＦに直接転送してもよい。当業者は、Ｖ２Ｘ  ＡＳから無線トランシーバノードへのメッセージ転送を実装するために別の経路を使用してもよい。
【００７９】
この出願において提供される技術的解決策の方法及び手順について上記で説明された。本方法は、少なくともＶ２Ｘ  ＡＳ及び無線トランシーバノードに関し、ＶＣＦ、ベアラ制御機能、協調無線リソーススケジューリング決定機能、及びＵＥなどの機能エンティティをさらに含み得る。上記の機能を実装するために、ＵＥ、無線トランシーバノード、及び通信ネットワークエンティティなどの各ネットワーク要素は、各機能を実施するための対応するハードウェア構造及び／又はソフトウェアモジュールを含むことが理解され得る。当業者は、本明細書で開示される実施形態において説明される例との関連において、ユニット、アルゴリズムステップが、ハードウェア又はハードウェアとコンピュータソフトウェアの組合せによって実装され得ることに容易に気づくはずである。機能が、ハードウェアによって実施されるか、又はコンピュータソフトウェアによって駆動されるハードウェアによって実施されるかは、技術的解決策の特定のアプリケーション及び設計制約に依存する。当業者は、特定のアプリケーションごとに説明される機能を実装するために異なる方法を使用してよいが、その実装が本発明の範囲を越えると考えられるべきではない。
【００８０】
例えば、図１８に示されるように、この出願における（Ｖ２Ｘ  ＡＳなどの）ＩｏＴアプリケーションサーバ、（ＶＣＦなどの）ＩｏＴプラットフォーム、ベアラ制御機能、協調無線リソーススケジューリング決定機能、及びＵＥは、図１８のコンピュータデバイス（又はシステム）を使用することによって実装され得る。
【００８１】
図１８は、本発明の実施形態によるコンピュータデバイスの概略図である。コンピュータデバイス１８００は、少なくとも１つのプロセッサ１８０１、通信バス１８０２、メモリ１８０３、及び少なくとも１つの通信インターフェース１８０４を含む。
【００８２】
プロセッサ１８０１は、本発明の解決策のプログラム実行を制御するための汎用中央処理ユニット（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１つ若しくは複数の集積回路であり得る。
【００８３】
通信バス１８０２は、上記の構成要素間で情報が送信されるチャネルを含み得る。
【００８４】
トランシーバなどの何らかの装置を使用する通信インターフェース１８０４は、イーサネット、無線アクセスネットワーク（ｒａｄｉｏ  ａｃｃｅｓｓ  ｎｅｔｗｏｒｋ、ＲＡＮ）、又はワイヤレスローカルエリアネットワーク（ｗｉｒｅｌｅｓｓ  ｌｏｃａｌ  ａｒｅａ  ｎｅｔｗｏｒｋ、ＷＬＡＮ）など、別のデバイスと通信するように構成される。
【００８５】
メモリ１８０３は、静的情報及び命令を記憶することが可能な読取り専用メモリ（ｒｅａｄ−ｏｎｌｙ  ｍｅｍｏｒｙ、ＲＯＭ）若しくは別のタイプの静的記憶デバイス、情報及び命令を記憶することが可能なランダムアクセスメモリ（ｒａｎｄｏｍ  ａｃｃｅｓｓ  ｍｅｍｏｒｙ、ＲＡＭ）若しくは別のタイプの動的記憶デバイスであり得るし、又は電気的消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）、若しくは（圧縮光ディスク、レーザーディスク、光ディスク、デジタル多用途ディスク、ブルーレイ光ディスクなどを含む）他のコンパクトディスク記憶装置若しくは光ディスク記憶装置、磁気ディスク記憶媒体若しくは別の磁気記憶デバイス、又は命令若しくはデータ構造の形態で期待されるプログラムコードを搬送若しくは記憶することが可能であり、コンピュータによってアクセスされることが可能な任意の他の媒体であり得るが、それらに限定されない。メモリは、独立して存在してよく、バスを使用することによってプロセッサに接続される。メモリは、代替として、プロセッサと一体化されてよい。
【００８６】
メモリ１８０３は、本発明の解決策を実行するために使用されるアプリケーションプログラムコードを格納するように構成され、アプリケーションプログラムコードは、プロセッサ１８０１の制御下で実行される。プロセッサ１８０１は、メモリ１８０３に格納されたアプリケーションプログラムコードを実行して、この特許での方法におけるＶ２Ｘ  ＡＳ、ＶＣＦ、ベアラ制御機能、協調無線リソーススケジューリング決定機能、又はＵＥの機能を実装するように構成される。
【００８７】
特定の実装中に、実施形態では、プロセッサ１８０１は、１つ又は複数のＣＰＵ、例えば、図１８におけるＣＰＵ０及びＣＰＵ１を含み得る。
【００８８】
特定の実装では、実施形態において、コンピュータデバイス１８００は、図１８のプロセッサ１８０１及びプロセッサ１８０８など、複数のプロセッサを含み得る。プロセッサの各々は、シングルコア（ｓｉｎｇｌｅ−ｃｏｒｅ）プロセッサであり得るか、又はマルチコア（ｍｕｌｔｉ−ｃｏｒｅ）プロセッサであり得る。本明細書のプロセッサは、データ（例えば、コンピュータプログラム命令）を処理するための１つ又は複数のデバイス、回路、及び／又は処理コアであり得る。
【００８９】
特定の実装中に、実施形態では、コンピュータデバイス１８００は、出力デバイス１８０５及び入力デバイス１８０６をさらに含み得る。出力デバイス１８０５はプロセッサ１８０１と通信し、複数の方式で情報を表示し得る。例えば、出力デバイス１８０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、又はプロジェクタ（ｐｒｏｊｅｃｔｏｒ）であり得る。入力デバイス１８０６はプロセッサ１８０１と通信し、複数の方式でユーザ入力を受信し得る。例えば、入力デバイス１８０６は、マウス、キーボード、タッチスクリーンデバイス、又は感知デバイスであり得る。
【００９０】
コンピュータデバイス１８００は、汎用コンピュータデバイス又は専用コンピュータデバイスであり得る。特定の実装では、コンピュータデバイス１８００は、デスクトップコンピュータ、ポータブルコンピュータ、ネットワークサーバ、携帯情報端末（ｐｅｒｓｏｎａｌ  ｄｉｇｉｔａｌ  ａｓｓｉｓｔａｎｔ、ＰＤＡ）、モバイルフォン、タブレットコンピュータ、ワイヤレス端末デバイス、通信デバイス、組込みデバイス、又は図１８におけるものと同様の構造を有するデバイスであり得る。コンピュータデバイス１８００のタイプは、本発明のこの実施形態では限定されない。
【００９１】
本発明の実施形態では、Ｖ２Ｘ  ＡＳ、ベアラ制御機能、又は協調無線リソーススケジューリング決定機能の機能モジュールは、分割を通じて取得され得る。例えば、各機能モジュールが、各機能に基づく分割を通じて取得され得るか、又は２つ以上の機能が、１つの機能モジュールに統合され得る。統合されたモジュールは、ハードウェアの形態で実装され得るか、又はソフトウェア機能モジュールの形態で実装され得る。本発明のこの実施形態では、モジュール分割は例であり、論理機能分割にすぎないことに留意されたい。実際の実装では、別の分割方式が使用されてよい。
【００９２】
図１９は、上記の実施形態におけるＶ２Ｘ  ＡＳの可能な機能モジュールの概略図である。デバイス１９００は、データ解析モジュール１９０１及び通信モジュール１９０２を含む。通信モジュール１９０２は、ＵＥによって報告されるデータを受信することと、アクティブ化又は非アクティブ化協調無線リソーススケジューリングインジケーションを通信ネットワークに送信することとを含めて、外部機能と通信するように構成される。データ解析モジュール１９０１は、受信されたデータを解析する。協調無線リソーススケジューリングがＵＥ上で実施される必要があると決定したとき、データ解析モジュールは、通信モジュール１９０２を使用することによって通信ネットワークに要求メッセージを送信する。特定の方法手順については、上記の説明を参照されたい。詳細について本明細書で再び説明されない。
【００９３】
図２０は、上記の実施形態における無線トランシーバノードの可能な概略構造図である。無線トランシーバノードは、無線トランシーバ２００１、プロセッサ２００２、メモリ２００３、及び通信モジュール２００４を含む。無線トランシーバ２００１は、上記の実施形態において無線トランシーバノードとＵＥとの間で情報を受信すること及び送信することをサポートするように構成される。プロセッサ２００２は、ＵＥと通信するための様々な関係する機能を実装する。アップリンクでは、ＵＥからのアップリンク信号が、アンテナによって受信され、無線トランシーバ２００１によって復調され、プロセッサ２００２によってさらに処理されて、ＵＥによって送信されたサービスデータ及びシグナリングメッセージが復元される。ダウンリンクでは、サービスデータ及びシグナリングメッセージが、プロセッサ２００２によって処理され、無線トランシーバ２００１によって復調されて、ダウンリンク信号が生成され、ダウンリンク信号は、アンテナを使用することによってＵＥに送信される。プロセッサ２００２は、この出願における協調無線リソーススケジューリングに関係する処理工程をさらに実施する。例えば、プロセッサ２００２は、通信モジュール２００４によってＶ２Ｘ  ＡＳから受信された協調無線リソーススケジューリングアクティブ化インジケーションを処理し、無線トランシーバ２００１を使用することによってＵＥにＵＬ許可メッセージを送信する。メモリ２００３は、基地局のプログラムコード及びデータを格納するように構成される。通信モジュール２００４は、別の通信ネットワークエンティティ及びモノのインターネットアプリケーションサーバと通信する際に無線トランシーバノードをサポートするように構成される。
【００９４】
図２１は、本発明の実施形態による端末又はＵＥのモジュールの概略構造図である。図２１に示されるように、ＩｏＴ端末２１００は、ＩｏＴアプリケーションモジュール２１１１及び通信モジュール２１１０を少なくとも含む。ＩｏＴアプリケーションモジュール２１１１は、通信モジュール２１１０を使用することによってＩｏＴアプリケーションのデータを外部デバイスと交換し、例えば、データをＩｏＴアプリケーションサーバに報告するか又はデータを別のＩｏＴ端末に送信する。ＩｏＴアプリケーションモジュール２１１１は、上記の実施形態において説明されたように、協調無線リソーススケジューリングインジケーション及び他の協調無線リソーススケジューリング情報に基づいて、無線トランシーバノードによって端末に割り当てられた無線リソースを使用することによって、端末によってＩｏＴアプリケーションデータを報告する能力を有するべきである。
【００９５】
例としてビークルツーエブリシングアプリケーションが使用される。図２１ａは、ビークルツーエブリシングアプリケーションにおける、端末、即ち、車両の組立ての概略構造図である。図２１ａに示されるように、車両は、車両状態認識システム２１０３、環境認識システム２１０１、及び通信モジュール２１０２を少なくとも含む。図２１ａの通信モジュール２１０２は、図２１の通信モジュール２１１０の特定の実施形態である。図２１ａの環境認識システム２１０１及び車両状態認識システム２１０３は、図２１のＩｏＴアプリケーションモジュール２１１１の特定の実施形態である。
【００９６】
環境認識システム２１０１は、車両に関係する環境情報を収集し、通信モジュール２１０２を使用することによってデータをＶ２Ｘ  ＡＳに報告するように構成される。環境認識システム２１０１は、カメラ、レーザーレーダー、ミリメートル波レーダー、全地球測位システム（Ｇｌｏｂａｌ  Ｐｏｓｉｔｉｏｎｉｎｇ  Ｓｙｓｔｅｍ、ＧＰＳ）などを含み得る。
【００９７】
車両状態認識システム２１０３は、Ｔ−Ｂｏｘ、ＯＢＤ、及び車載センサを使用することによって車両位置、速度、加速された速度、及びステアリングなどのデータを取得し得る。また、車両状態認識システム２１０３は、車両内にカメラを配備することによって車両運転者の呼吸状態、開眼状態、及び集中状態における１つ又は複数の情報をさらに取得してもよく、通信モジュール２１０２を使用することによってデータをＶ２Ｘ  ＡＳに送信する。車両状態認識システム２１０３は、ビークルツーエブリシング標準端末（テレマティクスボックス、Ｔ−Ｂｏｘ）上で実行され得る。車載Ｔ−Ｂｏｘは、車両のＣＡＮバスデータを深く読み取り、車両状態報告、運転報告、燃料消費統計、障害アラーム、違反クエリ、ロケーション追跡、運転挙動、盗難防止セキュリティ、予約サービス、遠隔車両探索を出力し、車両ドア、窓、ランプ、ロック、ホーン、ダブルフラッシュ、バックライト折り畳み、サンルーフを制御し、モバイルフォンを使用することによって中央制御警告、及びセキュリティエアバッグ状態を監視し、通信モジュール２１０２を使用することによってデータをＶ２Ｘ  ＡＳに送信し得る。
【００９８】
車両は、制動及び駆動システム、パワーステアリングシステム、自動変速機システム、電子安定性システムなどを含む、基礎制御システム２１０４をさらに含み得る。任意選択で、車両は、マンマシンインタラクションインターフェース２１０５をさらに含む。例えば、補助的な運転シナリオでは、緊急事例において、車両状態認識システム２１０３は、人間機械対話インターフェース上に、運転者参照のために、通信モジュール２１０２によって取得されたアラーム情報を表示する。自動運転シナリオでは、車両状態認識システム２１０３は、フロント車両緊急ブレーキ情報など、受信されたアラーム情報を基礎制御システム２１０４に直接送信し、それにより、基礎制御システム２１０４は車両速度を調整することが理解されよう。
【００９９】
図２１ａに示されるデバイスの構造は、車両に限定を課さない。車両は、図に示されるものよりも多い若しくは少ない構成要素を含むか、いくつかの構成要素を組み合わせるか、又は異なる構成要素配置を有し得る。詳細について本明細書でさらに説明されない。
【０１００】
図２２は、本発明の実施形態による協調無線リソーススケジューリング決定機能の可能な機能モジュールの概略図である。通信モジュール２２０２は、通信ネットワーク中の別のネットワーク要素又は論理機能と通信するように、例えば、ベアラ制御機能、無線トランシーバノード、又は（ＨＳＳ若しくはＵＤＭなどの）ユーザデータ管理機能と通信するように構成される。ストレージモジュール２２０３は、ユーザのサブスクリプションデータを記憶するように構成される。協調無線リソーススケジューリング決定モジュール２２０１は、ベアラ制御機能によって送信されたアクティブ化協調無線リソーススケジューリングインジケーションを受信したとき、ユーザのサブスクリプションデータに基づいて、協調無線リソーススケジューリングをアクティブにするかどうかを決定し、協調無線リソーススケジューリングをアクティブにするためのメッセージを生成し、通信モジュール２２０２を使用することによってメッセージを無線トランシーバノードに送信するように構成される。
【０１０１】
図２３は、本発明の実施形態によるベアラ制御機能の可能な機能モジュールの概略図である。通信モジュール２３０２は、通信ネットワーク及びＶ２Ｘ  ＡＳ中の別のネットワーク要素又は論理機能、例えば、協調無線リソーススケジューリング決定機能と通信するように構成される。ストレージモジュール２２０３は、サービスフロー情報及びベアラ識別子など、ＵＥとＶ２Ｘ  ＡＳとの間のベアラに関係する情報を記憶するように構成される。ベアラ識別子取得モジュール２２０１は、Ｖ２Ｘ  ＡＳ又はＶＣＦによって送信されたアクティブ化又は非アクティブ化協調無線リソーススケジューリングインジケーションを受信したとき、Ｖ２Ｘサービスフロー情報に一致するベアラ識別子を取得し、協調無線リソーススケジューリングをアクティブにするためのメッセージを生成し、通信モジュール２２０２を使用することによってメッセージを協調無線リソーススケジューリング決定機能に送信するように構成される。
【０１０２】
統合されたモジュールは、ハードウェアの形態で実装され得るか、又はソフトウェア機能モジュールの形態で実装され得る。例えば、図１９のデータ解析モジュール１９０１は、図１８のプロセッサ１８０１によってメモリ１８０３中のコードを呼び出すことによって実装され得る。これは本発明のこの実施形態では限定されない。
【０１０３】
上記の実施形態の全部又は一部は、ソフトウェア、ハードウェア、ファームウェア、又はそれらの任意の組合せによって実装され得る。実施形態を実装するためにソフトウェアが使用されるとき、実施形態は、完全に又は部分的にコンピュータプログラム製品の形態で実装され得る。コンピュータプログラム製品は１つ又は複数のコンピュータ命令を含む。コンピュータプログラム命令がコンピュータ上にロードされ、実行されたとき、本発明の実施形態による手順又は機能が全て又は部分的に生成される。コンピュータは、汎用コンピュータ、専用コンピュータ、コンピュータネットワーク、又は他のプログラマブル装置であり得る。コンピュータ命令は、コンピュータ可読記憶媒体に格納されてもよいし、又はコンピュータ可読記憶媒体から別のコンピュータ可読記憶媒体に送信されてもよい。例えば、コンピュータ命令は、ワイヤード（例えば、同軸ケーブル、光ファイバー、若しくはデジタルサブスクライバ回線（ＤＳＬ））又はワイヤレス（例えば、赤外線、無線、及びマイクロ波などの）方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体であるか、又は１つ若しくは複数の使用可能な媒体を組み込んでいるサーバ若しくはデータセンターなどのデータ記憶デバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（ＳＳＤ））などであり得る。
【０１０４】
本発明の目的、技術的解決策、及び利益について、上記の特定の実施形態において詳細にさらに説明された。上記の説明は、本発明の特定の実施形態にすぎず、本発明の保護範囲を限定することは意図されていないことを当業者は理解されたい。本発明の趣旨及び原理内で行われたいかなる変更、等価な置換、又は改善も、本発明の保護範囲内に入るものである。特許請求の範囲において、「備える」は別の構成要素又は別のステップを除外せず、「ａ」又は「ｏｎｅ」は複数の意味を除外しない。単一のプロセッサ又は別のユニットは、特許請求の範囲において列挙されたいくつかの機能を実装し得る。いくつかの方策が、互いに異なる従属請求項に記録されるが、これは、より良い効果を奏するためにこれらの方策が組み合わされることが不可能であることを意味しない。
【図１】
2020526118.tif 000003
【図１ａ】
2020526118.tif 000004
【図１ｂ】
2020526118.tif 000005
【図２】
2020526118.tif 000006
【図３】
2020526118.tif 000007
【図４】
2020526118.tif 000008
【図５】
2020526118.tif 000009
【図６】
2020526118.tif 000010
【図７】
2020526118.tif 000011
【図８】
2020526118.tif 000012
【図９】
2020526118.tif 000013
【図１０】
2020526118.tif 000014
【図１１】
2020526118.tif 000015
【図１２】
2020526118.tif 000016
【図１３】
2020526118.tif 000017
【図１４】
2020526118.tif 000018
【図１５】
2020526118.tif 000019
【図１６】
2020526118.tif 000020
【図１７】
2020526118.tif 000021
【図１８】
2020526118.tif 000022
【図１９】
2020526118.tif 000023
【図２０】
2020526118.tif 000024
【図２１】
2020526118.tif 000025
【図２１ａ】
2020526118.tif 000026
【図２２】
2020526118.tif 000027
【図２３】
2020526118.tif 000028
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
モノのインターネットアプリケーションサーバによって、端末上での協調無線リソーススケジューリングを開始することを決定するステップと、
前記モノのインターネットアプリケーションサーバによって、協調無線リソーススケジューリングアクティブ化要求を無線トランシーバノードに送信するステップであって、前記要求は、前記端末の識別子を含み、前記要求は、前記端末上での協調無線リソーススケジューリングを開始することを前記無線トランシーバノードに命令するために用いられる、ステップと、を含む、
モノのインターネット通信リソーススケジューリング方法。
【請求項２】
前記モノのインターネットアプリケーションサーバによって、協調無線リソーススケジューリングアクティブ化要求を無線トランシーバノードに送信する前記ステップの後、前記方法は、
前記モノのインターネットアプリケーションサーバによって、前記端末上での協調無線リソーススケジューリングを停止することを決定するステップと、
前記モノのインターネットアプリケーションサーバによって、協調無線リソーススケジューリング非アクティブ化要求を前記無線トランシーバノードへ送信するステップであって、前記要求は、前記端末の前記識別子を含み、前記要求は、前記端末上での協調無線リソーススケジューリングを停止することを前記無線トランシーバノードに命令するために用いられる、ステップと、をさらに含む、
請求項１に記載の方法。
【請求項３】
前記協調無線リソーススケジューリングアクティブ化要求又は協調無線リソーススケジューリング非アクティブ化要求は、ベアラ制御機能を用いることによって、前記無線トランシーバノードへ送信され、前記モノのインターネットアプリケーションサーバによって送信された前記協調無線リソーススケジューリングアクティブ化要求は、モノのインターネットサービスフローについての情報をさらに含み、前記モノのインターネットサービスフローは、前記端末と前記モノのインターネットアプリケーションサーバとの間のサービスフローである、
請求項１又は２に記載の方法。
【請求項４】
前記ベアラ制御機能は、ポリシー及び課金ルール機能、ポリシー制御機能、パケットデータゲートウェイ、及びセッション管理機能のうちいずれか１以上によって実装される、
請求項３に記載の方法。
【請求項５】
前記協調無線リソーススケジューリングアクティブ化要求又は協調無線リソーススケジューリング非アクティブ化要求は、前記モノのインターネット制御機能を用いることによって、前記無線トランシーバノードへ送信される、
請求項１又は２に記載の方法。
【請求項６】
前記モノのインターネットアプリケーションサーバによって送信された前記協調無線リソーススケジューリングアクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間、又はアップリンクパケット時点のうち１以上の情報をさらに含み、前記モノのインターネットサービス識別子は、前記モノのインターネットアプリケーションサーバによって提供されるモノのインターネットサービスの識別子である、
請求項１〜５のいずれか１項に記載の方法。
【請求項７】
モノのインターネットアプリケーションサーバによって、端末上での協調無線リソーススケジューリングを開始することを決定する前記ステップは、
前記モノのインターネットアプリケーションサーバによって、少なくとも前記端末によって報告されたデータに基づいて、前記端末上での協調無線リソーススケジューリングを開始することを決定するステップを含む、
請求項１〜６のいずれか１項に記載の方法。
【請求項８】
無線トランシーバノードによって、協調無線リソーススケジューリングアクティブ化要求を受信するステップであって、前記要求は、端末の識別子を含む、ステップと、
前記無線トランシーバノードによって、前記要求に基づいて、前記端末に対して無線リソースをアクティブに許可するステップと、を含む、
モノのインターネット通信リソーススケジューリング方法。
【請求項９】
無線トランシーバノードによって、協調無線リソーススケジューリングアクティベーション要求を受信する前記ステップの後、前記方法は、
前記無線トランシーバノードによって、協調無線リソーススケジューリング非アクティブ化要求を受信するステップであって、前記要求は、前記端末の前記識別子を含む、ステップと、
前記無線トランシーバノードによって、前記端末に対して前記無線リソースをアクティブに許可することを停止するステップと、をさらに含む、
請求項８に記載の方法。
【請求項１０】
前記無線トランシーバノードによって、協調無線リソーススケジューリングアクティブ化又は非アクティブ化要求を受信する前記ステップは、
前記無線トランシーバノードによって、パケットデータゲートウェイ又は協調無線リソーススケジューリング決定機能によって送信された前記協調無線リソーススケジューリングアクティブ化又は非アクティブ化要求を受信するステップであって、前記協調無線リソーススケジューリング決定機能は、モビリティ管理エンティティ、或いは、アクセス及びモビリティ機能によって実装される、ステップを含む、
請求項８又は９に記載の方法。
【請求項１１】
前記協調無線リソーススケジューリングアクティブ化要求又は協調無線リソーススケジューリング非アクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間、又はアップリンクパケット時点のうち１以上の情報をさらに含む、
請求項８〜１０のいずれか１項に記載の方法。
【請求項１２】
前記無線トランシーバノードによって、協調無線リソーススケジューリングアクティブ化又は非アクティブ化要求を受信する前記ステップの後、前記方法は、
前記無線トランシーバノードによって、前記協調無線リソーススケジューリングアクティブ化又は非アクティブ化要求を前記端末に転送するステップをさらに含む、
請求項８〜１１のいずれか１項に記載の方法。
【請求項１３】
端末によって、協調無線リソーススケジューリングアクティブ化要求を受信するステップであって、前記要求は、モノのインターネットサービス識別子又はベアラ識別子を含む、ステップと、
前記端末によって、無線トランシーバノードによって送信された無線リソース許可メッセージを受信するステップと、
前記端末によって、許可された無線リソースを用いることによって、前記モノのインターネットサービス識別子又は前記ベアラ識別子に対応するサービスデータを送信するステップと、を含む、
モノのインターネット通信リソーススケジューリング方法。
【請求項１４】
前記協調無線リソーススケジューリングアクティブ化要求は、協調無線リソーススケジューリングアップリンクパケットサイズ、及び、協調無線リソーススケジューリングアップリンクパケット期間又はアップリンクパケット時点のうち１以上の情報をさらに含む、
請求項１３に記載の方法。
【請求項１５】
前記協調無線リソーススケジューリングアクティブ化要求が、前記協調無線リソーススケジューリングアップリンクパケットサイズを含むとき、前記端末によって送信される単一のアップリンクパケットサイズは、前記協調無線リソーススケジューリングアップリンクパケットサイズを超えない、
請求項１４に記載の方法。
【請求項１６】
前記協調無線リソーススケジューリングアクティブ化要求が、前記協調無線リソーススケジューリングアップリンクパケット期間又はアップリンクパケット時点を含むとき、前記端末は、前記許可された無線リソースを用いることによって、前記協調無線リソーススケジューリングアップリンクパケット期間又は前記アップリンクパケット時点に基づいて、データを報告する、
請求項１４に記載の方法。
【請求項１７】
モノのインターネット通信リソーススケジューリングを実装するためのモノのインターネットアプリケーションサーバであって、通信インターフェース、メモリ、及びプロセッサを備え、前記通信インターフェースは、メッセージを受信又は送信するように構成され、前記プロセッサは、バスを用いることによって前記メモリ及び前記通信インターフェースに接続され、前記プロセッサは、請求項１〜７のいずれか１項に記載の前記方法における前記モノのインターネットアプリケーションサーバの機能を完備するために、前記メモリに格納されたコンピュータ実行可能命令を実行する、
モノのインターネットアプリケーションサーバ。
【請求項１８】
モノのインターネット通信リソーススケジューリングを実装するための無線トランシーバノードであって、無線トランシーバ、プロセッサ、メモリ、及び通信モジュールを備え、前記通信モジュールは、協調無線リソーススケジューリングアクティブ化要求を受信するように構成され、前記要求は、端末の識別子を含み、
前記プロセッサは、前記メモリに格納されたコンピュータ実行可能命令に基づいて、前記協調無線リソーススケジューリングアクティブ化要求を解析し、前記端末の前記識別子を取得し、前記端末に対して無線リソースをアクティブに割り当て、無線リソースを許可するために用いられるメッセージを作成するように構成され、
前記無線トランシーバは、前記プロセッサによって作成され且つ前記無線リソースを許可するために用いられる前記メッセージを前記端末に送信するように構成される、
無線トランシーバノード。
【請求項１９】
前記通信モジュールは、協調無線リソーススケジューリング非アクティブ化要求を受信するようにさらに構成され、前記要求は、前記端末の前記識別子を含み、
前記プロセッサは、前記メモリに格納された前記コンピュータ実行可能命令に基づいて、前記協調無線リソーススケジューリング非アクティブ化要求を解析し、前記端末の前記識別子を取得し、前記端末に対して無線リソースをアクティブに割り当てることを停止するようにさらに構成される、
請求項１８に記載の無線トランシーバノード。
【請求項２０】
前記通信モジュールによって受信される前記協調無線リソーススケジューリングアクティブ化要求又は協調無線リソーススケジューリング非アクティブ化要求は、パケットデータゲートウェイ又は協調無線リソーススケジューリング決定機能からのものであり、前記協調無線リソーススケジューリング決定機能は、モビリティ管理エンティティ、或いは、アクセス及びモビリティ機能によって実装される、
請求項１８又は１９に記載の無線トランシーバノード。
【請求項２１】
前記通信モジュールによって受信される前記協調無線リソーススケジューリングアクティブ化要求又は協調無線リソーススケジューリング非アクティブ化要求は、モノのインターネットサービス識別子、協調無線リソーススケジューリングレイテンシ要件、協調無線リソーススケジューリングアップリンクパケットサイズ、協調無線リソーススケジューリングアップリンクパケット期間又はアップリンクパケット時点のうち１以上の情報をさらに含む、
請求項１８〜２０のいずれか１項に記載の無線トランシーバノード。
【請求項２２】
前記プロセッサは、前記無線トランシーバを用いることによって、前記通信モジュールによって受信された前記協調無線リソーススケジューリングアクティブ化要求又は協調無線リソーススケジューリング非アクティブ化要求を前記端末に転送するようにさらに構成される、
請求項１８〜２１のいずれか１項に記載の無線トランシーバノード。
【請求項２３】
モノのインターネット通信リソーススケジューリングを実装するための端末であって、通信インターフェース、メモリ、及びプロセッサを備え、前記通信インターフェースは、メッセージを受信又は送信するように構成され、前記プロセッサは、バスを用いることによって、前記メモリ及び前記通信インターフェースに接続され、前記プロセッサは、請求項１３〜１６のいずれか１項に記載の前記方法における前記端末の機能を完備するために、前記メモリに格納されたコンピュータ実行可能命令を実行する、
端末。
【請求項２４】
命令を含むコンピュータ可読記録媒体であって、前記命令がコンピュータ上で実行されるとき、前記コンピュータが、請求項１〜１６のいずれか１項に記載の前記方法を実行することが可能になる、
コンピュータ可読記録媒体。
【請求項２５】
請求項１７に記載の前記モノのインターネットアプリケーションサーバと、請求項１８〜２２のいずれか１項に記載の前記無線トランシーバノードとを含む、
モノのインターネット通信リソーススケジューリングシステム。
【請求項２６】
請求項２３に記載の前記端末をさらに含む、
請求項２５に記載のシステム。
【手続補正２】
【補正対象書類名】明細書
【補正対象項目名】００１６
【補正方法】変更
【補正の内容】
【００１６】
第５の態様によれば、この出願は、命令を含むコンピュータプログラム製品を提供する。コンピュータプログラム製品がコンピュータ上で実行されたとき、コンピュータは、第１の態様による方法を実施することが可能になる。
【手続補正３】
【補正対象書類名】明細書
【補正対象項目名】００２０
【補正方法】変更
【補正の内容】
【００２０】
この出願において提供される技術的解決策は、図１に示されるモノのインターネットシステムアーキテクチャに基づく。図１に示されるモノのインターネットシステムは、モノのインターネットアプリケーションサーバ（ＩｏＴ  Ａｐｐｌｉｃａｔｉｏｎ  Ｓｅｒｖｅｒ、ＩｏＴ  ＡＳ）１０１、通信ネットワーク１０２、及びモノのインターネット端末１０４を少なくとも含む。通信ネットワーク１０２は、無線トランシーバノード１０３を少なくとも含む。モノのインターネットアプリケーションサーバ１０１は、通信ネットワーク１０２によって提供されるワイヤレス及びワイヤード通信リソースを使用することによって、例えば、端末１０４によって報告されるデータを受信すること、端末１０４に制御コマンドを送信することなどによって端末１０４と通信する。任意選択で、モノのインターネットシステムは、モノのインターネットプラットフォーム１０５をさらに含む。モノのインターネットプラットフォーム１０５は、モノのインターネット端末１０４の接続及び管理機能を少なくとも含む。モノのインターネットプラットフォーム１０５はモノのインターネット接続管理機能と呼ばれることもある。モノのインターネットプラットフォーム１０５は、通信ネットワーク１０２を使用することによって端末１０４と通信する。例えば、モノのインターネットプラットフォーム１０５は、通信ネットワーク１０２を使用することによって、端末によって報告される受信データをＩｏＴ  ＡＳ１０１に送信し得るし、又はＩｏＴ  ＡＳ１０１によって送信された受信制御コマンドを端末１０４に送信し得る。また、２つ以上の端末が、通信ネットワークを使用することによって互いに通信し得る。例えば、２つの端末は、無線トランシーバノードを使用することによってメッセージを交換し、これら２つの端末間で交換されるメッセージは、モノのインターネットアプリケーションサーバを使用することによって転送される必要がない。モノのインターネットアーキテクチャでは、端末１０４は、通信機能を有するユーザ機器と見なされることもあることに留意されたい。従って、端末はユーザ機器（ｕｓｅｒ  ｅｑｕｉｐｍｅｎｔ、ＵＥ）と呼ばれることもある。
【手続補正４】
【補正対象書類名】明細書
【補正対象項目名】００２３
【補正方法】変更
【補正の内容】
【００２３】
図１ｂに示されるビークルツーエブリシングシステムでは、ビークルツーエブリシングアプリケーションサーバ１０１−ｂは、通信ネットワーク１０２によって提供されるワイヤレス及びワイヤード通信リソースを使用することによって、例えば、車両によって報告される車両運転環境データ、運転挙動データ、及び車両走行データなどの情報を受信すること、並びに運転支援情報、警告情報などを車両１０４−ｂに送信することによって、車両１０４−ｂと通信する。車両１０４−ｂは、センサデバイス及び車両通信ユニットを含む。センサデバイスは、車両の速度、位置、運転環境、及び挙動などの情報を収集し得るし、車両は、車両通信ユニットを使用することによってデータを受信し及び送信し得る。
【手続補正５】
【補正対象書類名】明細書
【補正対象項目名】００３０
【補正方法】変更
【補正の内容】
【００３０】
図４に示されるように、車両が緊急ブレーキ又は制御不能などの緊急事態に遭遇し、車両は、ｅノードＢにデータを報告するために、車両にアップリンクエアインターフェースリソースを割り当てることをｅノードＢに要求するためのスケジューリング要求メッセージを、アップリンクサブフレーム４０３中でｅノードＢに報告することが仮定される。内部リソースプランニング又は割り当ての後、ｅノードＢは、車両に割り当てられたか又は車両によって使用されることを許可されたアップリンクエアインターフェースリソースを示すためのＵＬ許可メッセージを、ダウンリンクサブフレーム４０４中で車両に送信し、それは、４０３におけるエアインターフェースリソースを要求してから、４０４における許可されたエアインターフェースリソースまで、７ｍｓを要する。車両によって使用されることを許可されたアップリンクエアインターフェースリソースを受信した後、車両は、データを直ちに報告することができず、アップリンクサブフレーム４０５中でデータを報告するために４ミリ秒間待つ必要がある。次いで、２ｍｓ間処理された後、受信された車両によって報告されるデータは、ダウンリンクサブフレーム４０６が位置する時点においてｅノードＢによってＶ２Ｘ  ＡＳに送信される。
【手続補正６】
【補正対象書類名】明細書
【補正対象項目名】００８６
【補正方法】変更
【補正の内容】
【００８６】
メモリ１８０３は、本発明の解決策を実行するために使用されるアプリケーションプログラムコードを格納するように構成され、アプリケーションプログラムコードは、プロセッサ１８０１の制御下で実行される。プロセッサ１８０１は、メモリ１８０３に格納されたアプリケーションプログラムコードを実行して、本開示での方法におけるＶ２Ｘ  ＡＳ、ＶＣＦ、ベアラ制御機能、協調無線リソーススケジューリング決定機能、又はＵＥの機能を実装するように構成される。
【手続補正７】
【補正対象書類名】明細書
【補正対象項目名】０１０１
【補正方法】変更
【補正の内容】
【０１０１】
図２３は、本発明の実施形態によるベアラ制御機能の可能な機能モジュールの概略図である。通信モジュール２３０２は、通信ネットワーク及びＶ２Ｘ  ＡＳ中の別のネットワーク要素又は論理機能、例えば、協調無線リソーススケジューリング決定機能と通信するように構成される。ストレージモジュール２３０３は、サービスフロー情報及びベアラ識別子など、ＵＥとＶ２Ｘ  ＡＳとの間のベアラに関係する情報を記憶するように構成される。ベアラ制御モジュール２３０１は、Ｖ２Ｘ  ＡＳ又はＶＣＦによって送信されたアクティブ化又は非アクティブ化協調無線リソーススケジューリングインジケーションを受信したとき、Ｖ２Ｘサービスフロー情報に一致するベアラ識別子を取得し、協調無線リソーススケジューリングをアクティブにするためのメッセージを生成し、通信モジュール２３０２を使用することによってメッセージを協調無線リソーススケジューリング決定機能に送信するように構成される。
【国際調査報告】
2020526118.tif 000029
2020526118.tif 000030
2020526118.tif 000031
2020526118.tif 000032